(57)【特許請求の範囲】
【請求項１】
無線周波数（ＲＦ）信号を受信することと、
少なくとも部分的に無線環境パラメータに基づいて、前記受信したＲＦ信号を第１の中心周波数を有する第１の中間周波数（ＩＦ）信号又は第２の中心周波数を有する第２のＩＦ信号のいずれかに選択的に周波数ダウンコンバートすることとを含み、
前記第２の中心周波数は前記第１の中心周波数よりも大きく、
前記無線環境パラメータは送信機周波数又は送信機帯域幅であり、
前記受信したＲＦ信号を選択的に周波数ダウンコンバートすることは、
前記無線環境パラメータが閾パラメータよりも小さいときは、前記受信したＲＦ信号を前記第１のＩＦ信号に周波数ダウンコンバートすることと、
前記無線環境パラメータが前記閾パラメータに等しい又は前記閾パラメータよりも大きいときは、前記受信したＲＦ信号を前記第２のＩＦ信号に周波数ダウンコンバートすることとをさらに含む方法。
【請求項２】
前記閾パラメータは、プログラマブルにと動的にとのうちの少なくとも一方で確立される請求項１に記載された方法。
【請求項３】
前記第１の中心周波数と前記第２の中心周波数とのうちの少なくとも１つは、プログラマブルにと動的にとのうちの少なくとも一方で確立される請求項１に記載された方法。
【請求項４】
前記受信したＲＦ信号を前記第１のＩＦ信号に周波数ダウンコンバートする際に使用するためにオペレーティブにイネーブルされる第１のローカルオシレータ（ＬＯ）信号にアクセスすることと、
前記受信したＲＦ信号を前記第２のＩＦ信号に周波数ダウンコンバートする際に使用するためにオペレーティブにイネーブルされる第２のＬＯ信号にアクセスすることとをさらに含む請求項１に記載された方法。
【請求項５】
前記第１のＬＯ信号又は前記第２のＬＯ信号のいずれかをプログラマブル信号発生回路によって選択的に確立することをさらに含む請求項４に記載された方法。
【請求項６】
少なくとも部分的に前記無線環境パラメータに基づいて、ベースバンドフィルタ回路と、アナログデジタルコンバータ回路と、フェイズロックループ回路とのうちの少なくとも１つを選択的にプログラムすることをさらに含む請求項１に記載された方法。
【請求項７】
低位相ノイズダウンコンバータと低電力ダウンコンバータとのうちの少なくとも１つを備える周波数ダウンコンバーティング回路に、前記受信したＲＦ信号を提供することをさらに含む請求項１に記載された方法。
【請求項８】
デバイス電力消費モードと、デバイス通信モードと、デバイスナビゲーションモードとのうちの少なくとも１つに関係付けられているデバイス動作モードを選択的にプログラムすることをさらに含む請求項１に記載された方法。
【請求項９】
前記受信したＲＦ信号は、サテライトポジショニングシステム（ＳＰＳ）信号を含む請求項１に記載された方法。
【請求項１０】
相違する信号電力レベルに対して相違する閾パラメータを提供することをさらに含む請求項１に記載された方法。
【請求項１１】
無線周波数（ＲＦ）信号を受信し、少なくとも部分的に無線環境パラメータに基づいて、前記受信したＲＦ信号を第１の中心周波数を有する第１の中間周波数（ＩＦ）信号又は第２の中心周波数を有する第２のＩＦ信号のいずれかに選択的に周波数ダウンコンバートすることをオペレーティブにイネーブルされる受信機回路を具備し、
前記第２の中心周波数は前記第１の中心周波数よりも大きく、
前記無線環境パラメータは送信機周波数又は送信機帯域幅であり、
前記受信機回路は、前記無線環境パラメータが閾パラメータよりも小さいときは、前記受信したＲＦ信号を前記第１のＩＦ信号に周波数ダウンコンバートすることをオペレーティブにイネーブルされ、
前記受信機回路は、前記無線環境パラメータが前記閾パラメータに等しい又は前記閾パラメータよりも大きいときは、前記受信したＲＦ信号を前記第２のＩＦ信号に周波数ダウンコンバートすることをオペレーティブにイネーブルされる装置。
【請求項１２】
前記閾パラメータは、プログラマブルにと動的にとのうちの少なくとも一方で確立される請求項１１に記載された装置。
【請求項１３】
前記第１の中心周波数と前記第２の中心周波数とのうちの少なくとも１つは、プログラマブルにと動的にとのうちの少なくとも一方で確立される請求項１１に記載された装置。
【請求項１４】
前記受信したＲＦ信号を前記第１のＩＦ信号に周波数ダウンコンバートする際に使用するためにオペレーティブにイネーブルされる第１のローカルオシレータ（ＬＯ）信号と、前記受信したＲＦ信号を前記第２のＩＦ信号に周波数ダウンコンバートする際に使用するためにオペレーティブにイネーブルされる第２のＬＯ信号とのうちの少なくとも１つを発生させることをオペレーティブにイネーブルされる少なくとも１つの信号発生回路をさらに具備する請求項１１に記載された装置。
【請求項１５】
前記少なくとも１つの信号発生回路は、前記第１のＬＯ信号又は前記第２のＬＯ信号のいずれかを選択的に発生させることをオペレーティブにイネーブルされるプログラマブル信号発生回路を備える請求項１４に記載された装置。
【請求項１６】
前記受信機回路は、少なくとも部分的に前記無線環境パラメータに基づいて選択的にプログラムできる、ベースバンドフィルタ回路と、アナログデジタルコンバータ回路と、フェイズロックループ回路とのうちの少なくとも１つを備える請求項１１に記載された装置。
【請求項１７】
前記受信したＲＦ信号を受け取ることをオペレーティブにイネーブルされ、低位相ノイズダウンコンバータと低電力ダウンコンバータとのうちの少なくとも１つを含む周波数ダウンコンバーティング回路を、前記受信機回路は備える請求項１１に記載された装置。
【請求項１８】
デバイス電力消費モードと、デバイス通信モードと、デバイスナビゲーションモードとのうちの少なくとも１つに関係付けられているデバイス動作モードを提供することをオペレーティブにイネーブルされる周波数ダウンコンバーティング回路を、前記受信機回路は備える請求項１１に記載された装置。
【請求項１９】
前記受信したＲＦ信号は、サテライトポジショニングシステム（ＳＰＳ）信号を含む請求項１１に記載された装置。
【請求項２０】
無線周波数（ＲＦ）信号を受信する手段と、
少なくとも部分的に無線環境パラメータに基づいて、前記受信したＲＦ信号を第１の中心周波数を有する第１の中間周波数（ＩＦ）信号又は第２の中心周波数を有する第２のＩＦ信号のいずれかに選択的に周波数ダウンコンバートする手段とを具備し、
前記第２の中心周波数は前記第１の中心周波数よりも大きく、
前記無線環境パラメータは送信機周波数又は送信機帯域幅であり、
前記受信したＲＦ信号を選択的に周波数ダウンコンバートする手段は、
前記無線環境パラメータが閾パラメータよりも小さいときは、前記受信したＲＦ信号を前記第１のＩＦ信号に周波数ダウンコンバートすることと、
前記無線環境パラメータが前記閾パラメータに等しい又は前記閾パラメータよりも大きいときは、前記受信したＲＦ信号を前記第２のＩＦ信号に周波数ダウンコンバートすることとをオペレーティブにイネーブルされる装置。
【請求項２１】
前記閾パラメータをプログラマブルにと動的にとのうちの少なくとも一方で確立する手段をさらに具備する請求項２０に記載された装置。
【請求項２２】
前記第１の中心周波数と前記第２の中心周波数とのうちの少なくとも１つをプログラマブルにと動的にとのうちの少なくとも一方で確立する手段をさらに具備する請求項２０に記載された装置。
【請求項２３】
前記受信したＲＦ信号を前記第１のＩＦ信号に周波数ダウンコンバートするために、前記受信したＲＦ信号を選択的に周波数ダウンコンバートする手段によって使用するための第１のローカルオシレータ（ＬＯ）信号を確立する手段と、
前記受信したＲＦ信号を前記第２のＩＦ信号に周波数ダウンコンバートするために、前記受信したＲＦ信号を選択的に周波数ダウンコンバートする手段によって使用するための第２のＬＯ信号を確立する手段とをさらに具備する請求項２０に記載された装置。
【請求項２４】
前記第１のＬＯ信号又は前記第２のＬＯ信号のいずれかをプログラマブル信号発生回路によって選択的に確立する手段をさらに具備する請求項２３に記載された装置。
【請求項２５】
少なくとも部分的に前記無線環境パラメータに基づいて、ベースバンドフィルタ回路と、アナログデジタルコンバータ回路と、フェイズロックループ回路とのうちの少なくとも１つを選択的にプログラムする手段をさらに具備する請求項２０に記載された装置。
【請求項２６】
低位相ノイズダウンコンバータと低電力ダウンコンバータとのうちの少なくとも１つを備える周波数ダウンコンバーティング回路に、前記受信したＲＦ信号を提供する手段をさらに具備する請求項２０に記載された装置。
【請求項２７】
デバイス電力消費モードと、デバイス通信モードと、デバイスナビゲーションモードとのうちの少なくとも１つに関係付けられているデバイス動作モードで動作する手段をさらに具備する請求項２０に記載された装置。
【請求項２８】
前記受信したＲＦ信号は、サテライトポジショニングシステム（ＳＰＳ）信号を含む請求項２０に記載された装置。
【請求項２９】
その上にコンピュータ実行可能な命令を記憶するコンピュータ読み取り可能な媒体であって、
前記命令は、１つ以上のプロセッシングユニットによって実行されると、前記１つ以上のプロセッシングユニットが、
無線環境パラメータにアクセスすることと、
無線周波数（ＲＦ）信号を受信し、前記受信したＲＦ信号を第１の中心周波数を有する第１の中間周波数（ＩＦ）信号又は第２の中心周波数を有する第２のＩＦ信号のいずれかに周波数ダウンコンバートすることを、オペレーティブにイネーブルされる受信機回路を、少なくとも部分的に前記無線環境パラメータに基づいて選択的にイネーブルすることとを、オペレーティブにイネーブルして、
前記第２の中心周波数は前記第１の中心周波数よりも大きく、
前記無線環境パラメータは送信機周波数又は送信機帯域幅であり、
前記受信機回路を選択的にイネーブルすることは、
前記無線環境パラメータが閾パラメータよりも小さいときは、前記受信したＲＦ信号を前記第１のＩＦ信号に周波数ダウンコンバートすることと、
前記無線環境パラメータが前記閾パラメータに等しい又は前記閾パラメータよりも大きいときは、前記受信したＲＦ信号を前記第２のＩＦ信号に周波数ダウンコンバートすることとをさらに含むコンピュータ読み取り可能な媒体。
【請求項３０】
前記コンピュータ実行可能な命令は、前記１つ以上のプロセッシングユニットによって実行されると、前記１つ以上のプロセッシングユニットが、前記閾パラメータにアクセスすることを、オペレーティブにイネーブルする請求項２９に記載されたコンピュータ読み取り可能な媒体。
【請求項３１】
前記コンピュータ実行可能な命令は、前記１つ以上のプロセッシングユニットによって実行されると、前記１つ以上のプロセッシングユニットが、前記閾パラメータをプログラマブルにと動的にとのうちの少なくとも一方で確立することを、オペレーティブにイネーブルする請求項３０に記載されたコンピュータ読み取り可能な媒体。
【請求項３２】
前記コンピュータ実行可能な命令は、前記１つ以上のプロセッシングユニットによって実行されると、前記１つ以上のプロセッシングユニットが、前記第１の中心周波数と前記第２の中心周波数とのうちの少なくとも１つをプログラマブルにと動的にとのうちの少なくとも一方で確立することを、オペレーティブにイネーブルする請求項２９に記載されたコンピュータ読み取り可能な媒体。
【請求項３３】
前記コンピュータ実行可能な命令は、前記１つ以上のプロセッシングユニットによって実行されると、前記１つ以上のプロセッシングユニットが、
前記受信したＲＦ信号を前記第１のＩＦ信号に周波数ダウンコンバートする際に使用するためにオペレーティブにイネーブルされる第１のローカルオシレータ（ＬＯ）信号へのアクセスを可能にすることと、
前記受信したＲＦ信号を前記第２のＩＦ信号に周波数ダウンコンバートする際に使用するためにオペレーティブにイネーブルされる第２のＬＯ信号へのアクセスを可能にすることとを、オペレーティブにイネーブルする請求項２９に記載されたコンピュータ読み取り可能な媒体。
【請求項３４】
前記コンピュータ実行可能な命令は、前記１つ以上のプロセッシングユニットによって実行されると、前記１つ以上のプロセッシングユニットが、前記第１のＬＯ信号又は前記第２のＬＯ信号のいずれかの確立をプログラマブル信号発生回路によって選択的に開始することを、オペレーティブにイネーブルする請求項３３に記載されたコンピュータ読み取り可能な媒体。
【請求項３５】
前記コンピュータ実行可能な命令は、前記１つ以上のプロセッシングユニットによって実行されると、前記１つ以上のプロセッシングユニットが、少なくとも部分的に前記無線環境パラメータに基づいて、ベースバンドフィルタ回路と、アナログデジタルコンバータ回路と、フェイズロックループ回路とのうちの少なくとも１つを選択的にプログラムすることを、オペレーティブにイネーブルする請求項２９に記載されたコンピュータ読み取り可能な媒体。
【請求項３６】
前記受信したＲＦ信号は、サテライトポジショニングシステム（ＳＰＳ）信号を含む請求項２９に記載されたコンピュータ読み取り可能な媒体。
【発明の詳細な説明】
【技術分野】
【０００１】
ここに開示された主題は、電子デバイスに関し、特に無線デバイス（radio device）で用いられる方法及び装置に関する。
【背景技術】
【０００２】
無線通信システムは、デジタル情報の場において最も広く行われている技術の１つに急速になってきている。サテライト及びセルラー電話サービス及び他の同様の無線通信ネットワークは、すでに地球全体に広がっている。さらに、種々のタイプ及びサイズの新しい無線システム（例えば、ネットワーク）は、日々追加され、固定及びポータブルの両方の多くのデバイスの中に接続性を与えている。これらの無線システムの多くは、他の通信システム及びリソースによって互いに結合され、より多くの通信及び情報の共有を促進している。もちろん、いくつかのデバイスが１以上の無線通信システムと通信することを可能にすることは一般的でないわけではなく、このトレンドは成長していくようである。
【０００３】
他のポピュラーで増加している重要な無線技術は、ナビゲーションシステムを含み、特に、例えばグローバルポジショニングシステム（ＧＰＳ）及び他の同様のグローバルナビゲーションサテライトシステム（ＧＮＳＳ）といったサテライトポジショニングシステム（ＳＰＳ）を含む。ＳＰＳ無線は、例えば、ＧＮＳＳの複数の軌道に乗ったサテライトによって送信される無線ＳＰＳ信号を受信するかもしれない。ＳＰＳ信号は、例えば、グローバルな時間、擬似レンジのレンジ、おおよその或いは正確な地理的位置、高度、及び／又はＳＰＳ無線を有するデバイスに関連付けられた速度を決定するために処理されるかもしれない。
【発明の概要】
【０００４】
方法及び装置が、無線デバイスにおける中間周波数（intermediate frequency）（ＩＦ）信号のダイナミックな周波数スケーリングに対して提供される。
【０００５】
一例示的視点によれば、ＲＦ信号を受信することと、少なくとも部分的に環境パラメータ（environment parameter）に基づいて、受信されたＲＦ信号を第１の中心周波数（center frequency）を有する対応する第１の中間周波数（intermediate frequency）（ＩＦ）信号又は第２の中心周波数を有する対応する第２のＩＦ信号のいずれかに選択的に周波数ダウンコンバート（frequency down-convert）することを含む方法が提供されるかもしれず、第２の中心周波数が第１の中心周波数よりも大きい。ここで、環境パラメータは、デバイスの内部及び／又は外部の環境に関連するかもしれない。
【０００６】
例えば、あるインプリメンテーションにおいて、前記方法は、環境パラメータが閾パラメータ（threshold parameter）よりも小さければ、受信されたＲＦ信号を対応する第１のＩＦ信号に周波数ダウンコンバートし、及び／又は、環境パラメータが閾パラメータに等しい又は閾パラメータよりも大きければ、受信されたＲＦ信号を対応する第２のＩＦ信号に周波数ダウンコンバートすることを含むかもしれない。いくつかの例示インプリメンテーションにおいて、閾パラメータは、プログラマブルに及び／又は動的に（dynamically）設定される（established）かもしれず、及び／又は、第１の中心周波数及び／又は第２の中心周波数の少なくとも１つは、プログラマブルに及び／又は動的に設定されるかもしれない。ある例示インプリメンテーションにおいて、前記方法は、受信されたＲＦ信号を対応する第１のＩＦ信号に周波数ダウンコンバートする際の使用のためにオペレーティブにイネーブルにされる（operatively enabled）第１のローカルオシレータ（ＬＯ）信号をアクセスすることと、受信されたＲＦ信号を対応する第２のＩＦ信号に周波数ダウンコンバートする際の使用のためにオペレーティブにイネーブルにされる第２のＬＯ信号をアクセスすることとを含むかもしれない。
【０００７】
他の例示的視点によれば、ＲＦ信号を受信し、少なくとも部分的に環境パラメータに基づいて、受信されたＲＦ信号を第１の中心周波数を有する対応する第１のＩＦ信号又は第２の中心周波数を有する対応する第２のＩＦ信号のいずれかに選択的に周波数ダウンコンバートすることをオペレーティブにイネーブルにされる受信機回路を含む装置が提供されるかもしれず、第２の中心周波数は第１の中心周波数よりも大きい。
【０００８】
さらに他の例示的視点によれば、ＲＦ信号を受信する手段と、少なくとも部分的に環境パラメータに基づいて、受信されたＲＦ信号を第１の中心周波数を有する対応する第１のＩＦ信号又は第２の中心周波数を有する対応する第２のＩＦ信号のいずれかに選択的に周波数ダウンコンバートする手段を含む装置が提供されるかもしれず、第２の中心周波数は第１の中心周波数よりも大きい。
【０００９】
さらに他の例示的視点によれば、記憶をするコンピュータ読み取り可能な媒体（medium）を含んだマニュファクチャのアーティクル（article）が提供されるかもしれない。コンピュータインプリメント可能なインストラクションは、１以上のプロセッシングユニットによってインプリメントされると、プロセッシングユニットをオペレーティブにイネーブルにして、環境パラメータをアクセスさせ、少なくとも部分的に環境パラメータに基づいて、受信されたＲＦ信号を第１の中心周波数を有する対応する第１のＩＦ信号又は第２の中心周波数を有する対応する第２のＩＦ信号のいずれかに周波数ダウンコンバートするために、ＲＦ信号を受信することをオペレーティブにイネーブルにされる受信機回路を選択的にイネーブルにさせるかもしれず、第２の中心周波数は第１の中心周波数よりも大きい。
【００１０】
本記載の視点によれば、ＩＦ周波数が、無線シグナリング環境（wireless signaling environment）及び／又はデバイス動作モード（device operating mode）に応答して、選択的に変化する（動的に変化する）かもしれない。潜在的なジャミング無線信号（potential jamming wireless signal）の存在において、ＩＦ周波数は例えば、ジャミング信号の歪み（例えば、ＩＭ２歪み）に起因する過剰なＳＰＳ受信機のディセンス（desense）を避けるために増加するかもしれない。そのようなジャミング無線信号の欠如において、ＩＦ周波数は、例えばあるベースバンド回路における電力消費を低減するために減少するかもしれない。
【００１１】
非制限的で非徹底的な視点が、以下の図面を参照して説明され、特別の場合を除き、種々の図面を通して、同様の参照番号は同様の部分を指す。
【図面の簡単な説明】
【００１２】
【図１】図１は、インプリメンテーションにしたがった、ダイナミック中間周波数スケーリングを与えることをオペレーティブに可能にする少なくとも１つの無線を有するデバイスを含んだ例示的な環境を示すブロック図である。
【図２】図２は、例えば図１の環境内にインプリメントされるかもしれない例示的なデバイスのある特徴を示すブロック図である。
【図３】図３は、例えば図１の環境及び／又は図２のデバイスにインプリメントされるかもしれない方法を示すフロー図である。
【図４】図４は、例えば図１の環境及び／又は図２のデバイスにインプリメントされるかもしれない例示的な受信機回路のある特徴を示すブロック図である。
【図５】図５は、例えば図１の環境及び／又は図２のデバイスにインプリメントされるかもしれない例示的な受信機回路のある部分を示すブロック図である。
【図６】図６は、例えば図１の環境及び／又は図２のデバイスにインプリメントされるかもしれない例示的な受信機回路のある部分を示すブロック図である。
【図７】図７は、インプリメンテーションにしたがった、ダイナミック中間周波数スケーリングを示す４つのグラフを含み、それは例えば図１の環境及び／又は図２のデバイスにインプリメントされるかもしれない。
【発明を実施するための形態】
【００１３】
方法及び装置が、無線デバイス（radio device）内の中間周波数（intermediate frequency）（ＩＦ）信号のダイナミック周波数スケーリング（dynamic frequency scaling）に対して提供される。ＩＦ信号の周波数は、例えば、１以上の“環境パラメータ（environment parameter）”に応答して、スケールアップ或いはダウンする。例として、環境パラメータは、無線デバイスの内部及び／又は外部の環境内の１以上の無線信号（wireless signal）に関連付けられているかもしれない。そのような無線信号は、無線デバイスそれ自体内から及び／又は１以上の他のデバイスから発するかもしれない。そのような無線環境において改善されたパフォーマンスを提供するために、ＩＦ信号の中心周波数（center frequency）をスケールする（scale）ことは有用であるかもしれない。他の例では、環境パラメータは、デバイスに関連付けられた１以上の動作モード（operating mode）に関連付けられているかもしれない。１以上の動作モードに対するよりよいサポートを提供するために、ＩＦ信号の中心周波数をスケールすることは有用であるかもしれない。
【００１４】
図１は、本説明の例示的なインプリメンテーションにしたがった、ダイナミック中間周波数スケーリングを与えることをオペレーティブに可能にする少なくとも１つの無線を有するデバイス１０２を含んだ例示的な環境１００を示すブロック図である。
【００１５】
無線環境１００は、少なくとも１つの無線システム１０４に及び／又は少なくとも１つの無線システム１０４から無線信号を送信及び／又は受信することを可能にされた少なくとも１つのデバイス１０２を含むかもしれない任意のシステム或いはその一部の表現であるかもしれない。デバイス１０２は、例えば、モバイルデバイス、或いは移動可能であっても第１に静止していることを意図したデバイスを含んでいるかもしれない。それ故、ここで用いられるように、“デバイス”及び“モバイルデバイス”なる語句は、各語句が任意の単一のデバイス或いは無線信号を送信及び／又は受信するかもしれないデバイスの任意の組み合わせ可能なグループに言及されることが意図されるように、互換的に用いられるかもしれない。
【００１６】
覚えておくこととして限定ではなく例として、図１のアイコンを用いて示されるように、デバイス１０２は、セルラーフォン、スマートフォン、パーソナルデジタルアシスタント、ポータブルコンピューティングデバイス、ナビゲーションデバイス及び／又はそれらの任意の組み合わせのようなモバイルデバイスを含んでいるかもしれない。他の例示的なインプリメンテーションにおいて、デバイス１０２は、モバイル或いは静的であるマシンの形態をとるかもしれない。さらに、他の例示的なインプリメンテーションにおいて、デバイス１０２は、他のデバイス内での使用に対してオペレーティブにイネーブルにされる（operatively enabled）かもしれない１以上の集積回路、回路基板等の形態をとるかもしれない。
【００１７】
デバイス１０２の形態にかかわらず、デバイス１０２は、ダイナミック中間周波数スケーリング（dynamic intermediate frequency scaling）を与えることをオペレーティブにイネーブルにされる少なくとも１つの無線（radio）を含んでいるかもしれない。ここで用いられる“無線（ラジオ、radio）”なる語句は、無線信号を受信する及び／又は無線信号を送信することを可能にするかもしれない任意の回路等を指す。あるインプリメンテーションにおいて、２以上の無線（radio）は、回路の一部等（例えば、プロセッシングユニット、メモリ、アンテナ等）をシェアすることを可能にされるかもしれない。
【００１８】
限定ではなく例として、ここで示された例のいくつかにおいて、デバイス１０２は、少なくとも１つのナビゲーションシステム１０６（例えば、サテライトポジショニングシステム等）に関連付けられた無線信号を受信することを可能にされた第１の無線（radio）、及び少なくとも１つの無線システム１０４に関連付けられた無線信号を受信及び／又は送信することを可能にされた第２の無線（radio）を含むかもしれない。無線システム１０４は、例えば、無線電話システム、無線ローカルエリアネットワーク等のような無線通信システムを含むかもしれない。無線システム１０４は、例えば、テレビジョン放送システム、ラジオ放送システム等のような無線放送システムを含むかもしれない。あるインプリメンテーションでは、デバイス１０２は、無線システム１０４から無線信号を受信することのみを可能にされるかもしれず、他のインプリメンテーションでは、モバイルステーション１０２は、無線システム１０４に無線信号を送信することのみを可能にされるかもしれない。
【００１９】
図１に示されるように、無線システム１０４は、雲（cloud）１１０によって単純に示されるように、他のデバイス及び／又はリソースに通信する及び／又はオペレーティブにアクセスすることを可能にされるかもしれない。例えば、雲１１０は、１以上の通信デバイス、システム、ネットワーク或いはサービス、及び／又は１以上のコンピューティングデバイス、システム、ネットワーク或いはサービス等、或いはそれらの任意の組み合わせを含むかもしれない。
【００２０】
無線システム１０４は、例えば、無線信号を受信及び／又は送信することを可能にされるかもしれない任意の無線通信システム又はネットワークで代表されるかもしれない。限定ではなく例として、無線システム１０４は、無線ワイドエリアネットワーク（ＷＷＡＮ）、無線ローカルエリアネットワーク（ＷＬＡＮ）、無線パーソナルエリアネットワーク（ＷＰＡＮ）、無線メトロポリタンエリアネットワーク（ＷＭＡＮ）、ブルートゥース通信システム、ＷｉＦｉ通信システム、グローバルシステムフォーモバイルコミュニケーション（ＧＳＭ（登録商標））システム、エボルーションデータオンリ／エボルーションデータオプティマイズド（ＥＶＤＯ）コミュニケーションシステム、ウルトラモバイルブロードバンド（ＵＭＢ）コミュニケーションシステム、ロングタームエボルーション（ＬＴＥ）コミュニケーションシステム、モバイルサテライトサービス−アンシラリテレストリアルコンポーネント（ancillary terrestrial component）（ＭＳＳ−ＡＴＣ）コミュニケーションシステム、等を含むかもしれない。
【００２１】
“ネットワーク”及び“システム”なる語句は、ここでは互換的に用いられるかもしれない。ＷＷＡＮは、コードディビジョンマルチプルアクセス（ＣＤＭＡ）ネットワーク、タイムディビジョンマルチプルアクセス（ＴＤＭＡ）ネットワーク、周波数ディビジョンマルチプルアクセス（ＦＤＭＡ）ネットワーク、オーソゴナル周波数ディビジョンマルチプルアクセス（ＯＦＤＭＡ）ネットワーク、シングルキャリア周波数ディビジョンマルチプルアクセス（ＳＣ−ＦＤＭＡ）ネットワーク、等であるかもしれない。ＣＤＭＡネットワークは、少ない無線技術を示すためのｃｄｍａ２０００、ワイドバンドＣＤＭＡ（Ｗ−ＣＤＭＡ）といった１以上の無線アクセス技術（ＲＡＴ）をインプリメントするかもしれない。ここで、ｃｄｍａ２０００は、ＩＳ−９５、ＩＳ−２０００、ＩＳ−８５６スタンダードにしたがってインプリメントされる技術を含むかもしれない。ＴＤＭＡネットワークは、グローバルシステムフォーモバイルコミュニケーション（ＧＳＭ（登録商標））、デジタルアドバンストモバイルフォンシステム（Ｄ−ＡＭＰＳ）、或いはいくつかの他のＲＡＴをインプリメントするかもしれない。ＧＳＭ（登録商標）及びＷ−ＣＤＭＡは、"3rd Generation Partnership Project (3GPP)" と名付けられた協会からのドキュメントに説明されている。ｃｄｍａ２０００は、"3rd Generation Partnership Project 2 (3GPP2)" と名付けられた協会からのドキュメントに説明されている。３ＧＰＰ及び３ＧＰＰ２ドキュメントは、公に利用可能である。例えば、ＷＬＡＮは、ＩＥＥＥ８０２．１１ｘネットワークを含むかもしれず、ＷＰＡＮは、ブルートゥースンネットワーク、ＩＥＥＥ８０２．１５ｘを含むかもしれない。ここで説明されるそのようなロケーション決定テクニックは、ＷＷＡＮ、ＷＬＡＮ、ＷＰＡＮ、ＷＭＡＮ等に対して用いられるかもしれない。
【００２２】
無線システム１０４は、例えば、無線信号を少なくとも送信することを可能にされるかもしれない任意の無線方法システムに代表されるかもしれない。限定ではなく例として、無線放送システムは、メディアＦＬＯシステム、デジタルＴＶシステム、デジタルラジオシステム、デジタルビデオブロードキャスティング−ハンドへルド（ＤＶＢ−Ｈ）システム、デジタルマルチメディアブロードキャスティング（ＤＭＢ）システム、インテグレーティドサービシーズデジタルブロードキャスティングターミナル（ＩＳＤＢ−Ｔ）システム等、及び／又は関連する放送テクニックを含むかもしれない。
【００２３】
デバイス１０２は、複数のＳＰＳ信号送信サテライト１０６−１、１０６−２、１０６−３、……、１０６−ｘを有するサテライトポジショニングシステム（ＳＰＳ）として図１に示された少なくとも１つのナビゲーションシステム１０６からの無線信号を少なくとも受信することを可能にされているかもしれない。当業者は、ナビゲーションシステム１０６が、図示されたサテライトに追加して或いは図示されたサテライトの代わりに、追加の送信及び／又は他のサポートリソースを含むかもしれないことを理解するであろう。
【００２４】
あるインプリメンテーションにおいて、ナビゲーションシステム１０６は、他の非ナビゲーション関連サービス（例えば、通信サービス等）を提供することを可能にされるかもしれない。あるインプリメンテーションにおいて、デバイス１０２は、ナビゲーションシステム１０６に無線信号を送信することを可能にされるかもしれない。
【００２５】
ナビゲーションシステム１０６のスペースビークル（space vehicle）（ＳＶ）はそれぞれ、少なくとも一部が、デバイス１０２によって受信され、例えば時間、レンジ、ロケーション、ポジション等を決定するためにナビゲーションに対するいくつかのマナーにおいて用いられるかもしれないユニークなＳＰＳ信号を、送信することを可能にされるかもしれない。特定のナビゲーションシグナリング及びロケーション決定テクニックは、用いられるナビゲーションシステムに依存して変わるかもしれない。そのようなＳＶは、同一及び／又は異なったキャリア周波数で、１以上の信号を送信することを可能にされるかもしれない。例えば、ＧＰＳサテライトは、同一の帯域のＬ１Ｃ／Ａ及びＬ１Ｃ信号を送信し、他のキャリア周波数でＬ２Ｃ及びＬ５信号を送信することを可能にされるかもしれない。さらに、そのようなＳＰＳ信号は、エンクリプティド（encrypted）信号を含むかもしれない。
【００２６】
ＳＰＳは典型的には、少なくとも部分的に送信機から受信した信号に基づいて実在物（entity）が地球上又は上方の位置を決定することを可能とするために配置された送信機のシステムを含んでいる。そのような送信機は典型的には、チップのセット番号の擬似ランダムノイズ（ＰＮ）コードを繰り返すことによってマークされる信号を送信し、グラウンドベースの制御ステーション、ユーザーイクイップメント及び／又はスペースビークル上に位置しているかもしれない。特別の例では、そのような送信機は、地球軌道に乗った（Earth orbiting）ＳＶ上に位置しているかもしれない。例えば、グローバルポジショニングシステム（ＧＰＳ）、Ｇａｌｉｌｅｏ、Ｇｌｏｎａｓｓ或いはＣｏｍｐａｓｓといったグローバルナビゲーションサテライトシステム（ＧＮＳＳ）の集団（constellation）内のＳＶは、集団内の他のＳＶによって送信されるＰＮコードから区別されるＰＮコードによってマークされた信号を送信するかもしれない。ある視点によれば、ここに示されたテクニックは、ＳＰＳに対するグローバルシステム（例えば、ＧＮＳＳ）に限定されない。例えば、ここで提供されるテクニックは、例えば、日本上のＱｕａｓｉ−Ｚｅｎｉｔｈサテライトシステム（ＱＺＳＳ）、インド上のＩｎｄｉａｎ  Ｒｅｇｉｏｎａｌナビゲーションサテライトシステム（ＩＲＮＳＳ）、中国上のＲｅｉｄｏｕ等の種々の地域システムでの使用に適用或いは適用可能であり、及び／又は、１以上のグローバルな及び／又は地域的なナビゲーションサテライトシステムに関連付けられた或いは使用可能な種々のオーグメンテーション（augmentation）システム（例えば、サテライトベースドオーグメンテーションシステム（ＳＢＡＳ））に適用される或いは適用可能であるかもしれない。限定ではなく例として、ＳＢＡＳは、例えば、ワイドエリアオーグメンテーションシステム（ＷＡＡＳ），ユーロピアンジオステーショナリ（geostatioary）ナビゲーションオーバーレイサービス（ＥＧＮＯＳ）、マルチファンクショナルサテライトオーグメンテーションシステム（ＭＳＡＳ）、ＧＰＳエイディドジオオーグメンティドナビゲーション又はＧＰＳ及びジオオーグメンティドナビゲーションシステム（ＧＡＧＡＮ）等の完全な（integrity）情報、差異のある（differential）修正（correction）等を与えるオーグメンテーションシステムを含むかもしれない。そのようなＳＢＡＳは、例えば、ある無線通信信号等によって干渉を受けるかもしれないＳＰＳ及び／又はＳＰＳのような信号を送信するかもしれない。それ故、ここで用いられるように、ＳＰＳは、１以上のグローバルな及び／又は地域的なナビゲーションサテライトシステム及び／又はオーグメンテーションシステムの任意の組み合わせを含むかもしれず、ＳＰＳ信号は、ＳＰＳ、ＳＰＳのような（SPS-like）及び／又はそのような１以上のＳＰＳに関連付けられた他の信号を含むかもしれない。
【００２７】
その位置を評価するため、デバイス１０２は、少なくとも部分的に、ＳＶから受信した信号内のＰＮコードの検出に基づいた公知のテクニックを用いて、無線（radio）を受信することを“考慮する”ＳＶに対する擬似レンジ（pseudorange）測定を決定するかもしれない。そのようなＳＶに対する擬似レンジは、無線（radio）を受信することでの受信された信号を得ることのプロセスの最中にＳＶに関連付けられたＰＮコードによってマークされた受信された信号内で検出されたコード位相に少なくとも基づいて決定されるかもしれない。受信された信号を得るために、デバイス１０２は、例えば、受信された信号をＳＶに関連付けられた局所的に発生されたＰＮコードに関連付けることを可能にされるかもしれない。例えば、デバイス１０２は、そのような受信された信号を、複数のコード位相及び／又はそのような局所的に発生されたＰＮコードのドップラー周波数のシフトされたバージョンに関連付けるかもしれない。結果を最も高い信号電力に関連付けることをもたらすドップラー周波数のシフトされたバージョン及び／又は特別のコード位相は、上述したような擬似レンジを測定することにおける使用に対する得られた信号に関連付けられたコード位相を指すかもしれない。
【００２８】
それ故、あるインプリメンテーションにおいて、デバイス１０２は、他のデバイス或いはリソースからのさらなるサポートがない方法或いは他の同様の方法で、その位置を決定されることを可能にされるかもしれない。他のインプリメンテーションにおいて、しかしながら、デバイス１０２は、その位置を決定するため及び／又は動作に関連した他のナビゲーションをサポートするために、無線システム１０４に接続された雲（cloud）１１０によって表される例のように、１以上の他のデバイス或いはリソースによって動作することを可能にされるかもしれない。
【００２９】
あるインプリメンテーションにおいて、デバイス１０２は、それぞれがここでは一般にＳＰＳとして言及される、例えば、ＧＰＳ、Ｇａｌｉｌｅｏ、ＧＬＯＮＡＳＳ、Ｃｏｍｐａｓｓ、又はこれらのシステムの組み合わせを用いる他の同様のシステム、或いは将来開発される任意のＳＰＳのような、１以上のＧＮＳＳからＳＰＳ信号を受信することを可能にされているかもしれない。ここで用いられるように、ＳＰＳは、擬似ライト（pseudolite）システムを含むことが理解されるであろう。
【００３０】
擬似ライト（pseudolite）は、Ｌ−バンド（又は他の周波数）キャリア信号を変調されたＰＮコード又は他のレンジングコード（ＧＰＳ又はＣＤＭＡセルラー信号）を放送する（broadcast）グラウンドベースの送信機であり、それはＧＰＳタイムと同調される（synchronized）かもしれない。そのような送信機は、リモート受信機による識別を許容されるように、ユニークなＰＮコードを割り当てられる（assigned）かもしれない。擬似ライト（pseudolite）は、トンネル、マイン（mine）、ビルディング、アーバンキャニオン（urban canyon）、或いは他の閉ざされたエリアのようなものの中で軌道に乗った（orbiting）ＳＶからの信号が利用できないシチュエーションにおいて、有用であるかもしれない。擬似ライトの他のインプリメンテーションは、ラジオビーコン（radio-beacon）として知られている。ここで用いられるような“サテライト（satellite）”及び“ＳＶ”なる語句は、互換性があり、擬似ライト（pseudolite）、擬似ライトの均等物、及び可能な他のもの（possibly others）を含むことを意図されている。ここで用いられるような“ＳＰＳ信号”なる語句は、擬似ライト或いは擬似ライトの均等物からのＳＰＳのような信号（SPS-like signal）を含むことを意図されている。
【００３１】
デバイス１０２内の受信機回路は、無線信号を取得することを可能とされているかもしれない。例えば、受信機回路は、無線信号（例えば、無線周波数（ＲＦ）信号）を受信し、ＲＦ信号を対応する中間周波数（intermediate frequency）（ＩＦ）信号にダウンコンバートし、（もし必要とされていれば）無線信号内に含まれるかもしれない情報を識別するために中間信号をさらに処理するかもしれない。そのようなＩＦ信号は、デバイス１０２の動作及び／又は環境条件（environment condition）に説明する（account）ために、本説明の視点にしたがって、いくつかの方法（manner）にスケールされる（scaled）中心周波数（center frequency）を有しているかもしれない。例えば、環境（environment）１００は、ＳＰＳ信号を取得することを試みるように、何らかの方法でデバイス１０２とインターフェースするかもしれない無線信号１２１を送信する（意図的或いは非意図的に）かもしれない送信機１２０のような他のデバイスを含むかもしれない。そのような潜在的なジャミング信号（potential jamming signal）の存在（presence）及び／又は不在（absence）におけるＩＦ信号の中心周波数を選択的にスケールする（変化させる）ことにより、デバイス１０２は何らかの方法でパフォーマンスを向上させるかもしれない。他の例では、デバイス１０２は、ＩＦ信号（アップ及び／又はダウン）の選択的な周波数スケーリングが有益であることを証明するかもしれないあるモードにおいて動作するかもしれない。
【００３２】
このダイナミック中間周波数スケーリングの能力を心にとどめておく（in mind）ことにより、注意は図２に向かい、それは例示的なデバイス１０２の特徴を示したブロック図である。
【００３３】
デバイス１０２は、例えば、少なくとも１つのＲＦ信号２２２を受信することを可能にされるかもしれない少なくとも１つの受信機回路（receiver circuit）２０２を含んでいるかもしれない。ＲＦ信号２２２は、例えばＳＰＳ信号等を含んでいるかもしれない。
【００３４】
受信機回路２０２は、例えば、制御回路２０４を含む及び／又は制御回路２０４にオペレーティブに結合されているかもしれない。図２において、制御回路は、受信機回路内にあるとして示されている。他のインプリメンテーションにおいて、制御回路の全体或いは一部は、受信機回路の外側にあるかもしれない。
【００３５】
この例に示されるように、受信機回路２０２はまた、周波数ダウンコンバーティング回路２２０、信号発生回路２２８、及び信号処理回路（signal processing circuit）２２６を含んでいるかもしれない。
【００３６】
この例において、受信機回路２０２は、少なくとも部分的に環境パラメータ（environment parameter）２１２に基づいて、受信したＲＦ信号２２２を対応する中間周波数（intermediate frequency）信号２２４に選択的に周波数ダウンコンバートする（frequency down-convert）ことを可能にされるかもしれない。例えば、少なくとも部分的に環境パラメータ２１２に基づいて、受信機回路２０２は、受信したＲＦ信号２２２を第１の中心周波数（center frequency）を有する対応する第１のＩＦ信号又は第２の中心周波数を有する対応する第２のＩＦ信号のいずれかに選択的に周波数ダウンコンバートすることを可能にされるかもしれない。ここで、例えば、第２の中心周波数は第１の中心周波数よりも大きいかもしれない。結果としてのＩＦ信号２２４は、信号処理回路２２６により、何らかの方法でさらに処理されるかもしれない。ここで用いられるような“第１のＩＦ周波数”及び“第２のＩＦ周波数”の使用は、例えば典型的な２ステージ受信機デザインで生じるかもしれないような、最初の及びその後に続く信号を説明することを意図していないことを、明確化のために記しておく。
【００３７】
この例示のインプリメンテーションにおいて、選択的な周波数ダウンコンバージョンプロセスは、制御回路２０４によって編成される（orchestrated）かもしれず、それは、選択されたＩＦ周波数を周波数ダウンコンバーティング回路２２０及び／又は信号発生回路２２８に初期化する（initiate）、指し示す（indicate）及び／又はオペレーティブに設定する（operatively establish）するかもしれない。
【００３８】
この例で示されるように、制御回路２０４は、１以上のプロセッシングユニット２０６及びメモリ２０８を含んでいるかもしれない。あるインプリメンテーションにおいて、製造のアーティクル（article of manufacture）は、制御回路２０４によってアクセスされるかもしれず、コンピュータインプリメント可能なインストラクション２１１が記憶されるかもしれないコンピュータ読み取り可能な媒体２１０を含んでいるかもしれない。
【００３９】
ここで、例えば、プロセッシングユニット２０６は、１以上の特定用途向け集積回路（ＡＳＩＣ）、デジタルシグナルプロセッサ（ＤＳＰ）、デジタルシグナルプロセッシングデバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、電子デバイス、ここで説明された機能を実行するように設計された他のデバイスユニット、及び／又はそれらの組み合わせにインプリメントされるかもしれない。
【００４０】
メモリ２０８は、データの形態で情報を記憶することを可能とされるかもしれない任意のタイプのメモリを含むかもしれない。いくつかの例は、ランダムアクセスメモリ（ＲＡＭ）、リードオンリメモリ（ＲＯＭ）、スタティックメモリ、ダイナミックメモリ等を含む。そのような記憶された情報は、例えば、プロセッシングユニット２０６によってインプリメントされるかもしれないインストラクション２１１、及び／又は、通信、ロケーション信号、測定、パラメータ、ロケーションデータ等に関連付けられたデータを含むかもしれない。そのような情報は、例えば、１以上のプロセッシングユニット２０６及び／又はメモリ２０８にオペレーティブに結合されるかもしれないコンピュータ読み取り可能な媒体２１０に記憶されるかもしれない。図２に示されるように、例えば、メモリ２０６は、環境パラメータ（environment parameter）２１２、閾パラメータ（threshold parameter）、２１４、第１の中心周波数２１６、第２の中心周波数２１８、及び／又は同様のオペレーショナル情報に関連付けられたデータを記憶するかもしれない。例えば、メモリ２０８は、１以上のデバイスオペレーティングモード２３８に関連付けられたデータを含むかもしれない。
【００４１】
限定ではなく例として、コンピュータ読み取り可能な媒体（computer readable medium）２１０は、製造のアーティクル（article of manufacture）に含まれるかもしれず、いくつかのメモリ、１以上の光学的データストレージディスク、１以上の磁気的ストレージディスク又はテープ等を含むかもしれない。
【００４２】
ある例示的なインプリメンテーションにおいて、受信機回路２０２は、ＲＦ信号２２２を、環境パラメータ２１２が閾パラメータ２１４よりも小さければ、第１のＩＦ信号に周波数ダウンコンバートし、環境パラメータ２１２が閾パラメータ２１４に等しい又は閾パラメータ２１４よりも大きければ、第２のＩＦ信号に周波数ダウンコンバートすることを可能にされているかもしれない。限定ではなく例として、信号発生回路２２８は、対応するＩＦ信号２２４を生成するために、周波数ダウンコンバーティング回路２２０がＲＦ信号２２２を周波数ダウンコンバートする（frequency down-convert）ことによって用いられるかもしれないローカルオシレータ（ＬＯ）信号２３０を発生することを可能にされるかもしれない。それ故、ある例示的なインプリメンテーションにおいて、信号発生回路２２８は、第１のＩＦ信号を生成する際の使用のための第１のＬＯ信号を発生するためにデディケイトされる（dedicated）かもしれない回路と、第２のＩＦ信号を生成する際の使用のための第２のＬＯ信号を発生するためにデディケイトされる（dedicated）かもしれない追加の回路とを含むかもしれない。他の例示的なインプリメンテーションにおいて、信号発生回路２２８は、例えば、それぞれ第１の中心周波数２１６又は第２の中心周波数２１８に基づく及び／又は関連付けられる、第１又は第２のＬＯ信号のいずれかを選択的に発生するようにプログラムされるかもしれない。
【００４３】
制御回路２０４は、例えば、送信機回路２３２、受信された無線信号２３６（例えば、検出器回路２３４によってここでは識別される（identified）ような）、及び／又はデバイス動作モード（device operating mode）２３８の少なくとも１つに関連付けられる情報に基づく環境パラメータ２１２を受信する及び／又は設定する（establish）ように構成されるかもしれない。限定ではなく例として、あるインプリメンテーションにおいて、環境パラメータ２１２は、送信機電力（transmitter power）、送信機周波数（例えば、粗い（coarse）周波数情報、動作の帯域（band of operation）等）、送信機帯域幅（transmitter bandwidth）（例えば、１Ｘ  ｖｓ  ＷＣＤＭＡのような動作のモードによって運ばれる（conveyed）かもしれないような）等を含む及び／又は関連付けられるかもしれない。
【００４４】
限定ではなく例として、送信機回路２３２は、デバイス１０２の一部として受信機回路２０２の少なくとも一部とともに配置されている（co-located）かもしれない。もちろん、あるインプリメンテーションにおいて、送信機回路２３２及び受信機回路２０２の一部は、トランシーバ回路（図示せず）を介してインプリメントされるかもしれない。送信機回路２３２は、例えば、無線信号１０５（図１参照）を送信することを可能にされているかもしれない。ある例示的なインプリメンテーションにおいて、環境パラメータ２１２は、送信機回路２３２の存在する動作（existing operation）及び／又は期待される動作（expected operation）を何らかの方法で識別するために設定される（established）かもしれない。例えば、送信機回路２３２が無線信号１０５を送信する或いはほぼ送信を開始すると、環境パラメータ２１２が設定されるかもしれない。ここで、例えば、送信機回路２３２が無線信号１０５を送信する或いはほぼ送信を開始すると、受信機回路２０２内で第１のＩＦ信号から第２のＩＦ信号にスケールする（scale）（例えば、スイッチする）ことは有益であるかもしれない。逆に、送信機回路２３２が無線信号１０５を送信しない場合に、受信機回路２０２内で第２のＩＦ信号から第１のＩＦ信号にスイッチすることは有益であるかもしれない。
【００４５】
あるインプリメンテーションにおいて、少なくとも１つの閾パラメータ２１４は、送信機回路２３２と何らかの方法で関連付けられるかもしれない。例えば、閾パラメータ２１４は、閾信号電力レベルに関連付けられるかもしれず、環境パラメータ２１２は、送信機回路２３２が無線信号１０５を送信するかもしれない（或いは、間もなく送信するかもしれない）信号電力レベルに関連付けられるかもしれない。ここで、受信機回路２０２は、ＲＦ信号２２２を、環境パラメータ２１２が閾パラメータ２１４よりも小さい場合に、第１のＩＦ信号に周波数ダウンコンバートし、環境パラメータ２１２が閾パラメータ２１４に等しい又は閾パラメータ２１４よりも大きい場合に、第２のＩＦ信号に周波数ダウンコンバートすることを可能にされるかもしれない。
【００４６】
限定ではなく例として、検出器回路（detector circuit）２３４は、デバイス１０２の一部として受信機回路２０２の少なくとも一部とともに配置される（co-located）かもしれない。もちろん、あるインプリメンテーションにおいて、検出器回路２３４及び受信機回路２０２の一部は、一緒にインプリメントされ及び／又は同様の設計である（例えば、検出器回路２３４が、受信機、送信機等（図示せず）に関連付けられるかもしれない）かもしれない。検出器回路２３４は、無線信号２３６の存在を受信する及び／又は検出することを可能にされているかもしれない。例えば、無線信号２３６は、１以上の無線信号１０５及び／又は１２１（図１参照）を含むかもしれない。ある例示的なインプリメンテーションにおいて、環境パラメータ２１２は、無線信号２３６の実在する存在（existing presence）及び／又は期待される存在（expected presence）を何らかの方法で識別するように設定される（established）かもしれない。例えば、検出器回路２３４が、無線信号が送信される及び／又は送信されたかもしれないことを検出した場合に、環境パラメータ２１２が設定される（established）かもしれない。ここで、例えば、検出器回路２３４が、無線信号が生じているかもしれないことを検出した場合に、受信機回路２０２内で第１のＩＦ信号から第２のＩＦ信号にスイッチすることは有益であるかもしれない。逆に、検出器回路２３４が、例えば直ぐ先に（immediate future）そのような無線信号が生じることを検出する或いは期待することがない場合に、受信機回路２０２内で第２のＩＦ信号から第１のＩＦ信号にスイッチすることは有益であるかもしれない。あるインプリメンテーションにおいて、閾パラメータ２１４は、検出器回路２３４と何らかの方法で関連付けられるかもしれない。例えば、閾パラメータ２１４は、閾信号電力レベルに関連付けられるかもしれず、環境パラメータは、受信機回路２０２のパフォーマンスに悪影響を与えるかもしれない環境内の無線信号に関連付けられた信号電力レベルに関連付けられるかもしれない。それ故、受信機回路２０２は、ＲＦ信号２２２を、環境パラメータ２１２が閾パラメータ２１４よりも小さい場合に、第１のＩＦ信号に周波数ダウンコンバートし、環境パラメータ２１２が閾パラメータ２１４に等しい又は閾パラメータ２１４よりも大きい場合に、第２のＩＦ信号に周波数ダウンコンバートすることを可能にされるかもしれない。
【００４７】
他の例において、閾パラメータ２１４は、最大無線シグナリングタイム期間に関連付けられるかもしれず、環境パラメータは、無線シグナリングは直ぐ前に検出された（last detected）ため、時間測定に関連付けられるかもしれない。ここで、受信機回路２０２は、ＲＦ信号２２２を、環境パラメータ２１２が閾パラメータ２１４よりも大きい場合には、第１のＩＦ信号に周波数ダウンコンバートし、環境パラメータ２１２が閾パラメータ２１４に等しい又は閾パラメータ２１４よりも小さい場合には、第２のＩＦ信号に周波数ダウンコンバートすることを可能にされているかもしれない。
【００４８】
他の例示的なインプリメンテーションにおいて、閾パラメータ２１４及び／又は環境パラメータ２１２は、ＩＦ信号をスケールする（scale）か否かを決定するときの関心（interest）であるかもしれない無線シグナリングに関連付けられた、周波数、帯域、チャネル等に関連付けられる及び／又は識別するかもしれない。
【００４９】
ある例示的なインプリメンテーションにおいて、環境パラメータ２１２は、存在する（existing）及び／又は期待される（expected）デバイス動作モード（device operating mode）２３８を識別するために、何らかの方法で設定されるかもしれない。限定ではなく例として、デバイス動作モード２３８は、デバイス電力消費モード、デバイス通信モード、及び／又はデバイスナビゲーションモードの少なくとも１つに関連付けられるかもしれない。例えば、デバイス動作モード２３８に依存して受信機回路２０２内で、第１のＩＦ信号から第２のＩＦ信号にスイッチすることは有益であるかもしれない。それ故、例えば、デバイス電力消費モードが電力消費を低減することを意図している場合、受信機回路２０２内で第２のＩＦ信号から第１のＩＦ信号にスイッチすることは有益であるかもしれない。逆に、デバイス電力消費モードが電力消費を低減することを意図していない場合（デバイスがチャージング（charging）及び／又は電源に接続されているかもしれない）、受信機回路２０２内で第１のＩＦ信号から第２のＩＦ信号にスイッチすることは有益であるかもしれない。
【００５０】
他の例において、デバイス通信（communication）モードは、送信回路２３２を介しての送信をペンディングすることを識別する（identify）、及び／又は、デバイスが特別の送信及び／又は受信モードに関連付けられて通信しているかもしれないことを識別するかもしれない。例えば、始めること（initiating）、テストすること（testing）、緊急（emergency）、及び／又は他の同様の通信モードに対し、受信機回路２０２内で特別のＩＦ信号を採用することは有益であるかもしれない。さらに他の例において、デバイスナビゲーションモードが、デバイスが特別のナビゲーションモードにしたがって動作しているかもしれないことを識別するかもしれず、その場合には、受信機回路２０２内で特別のＩＦ信号を選択することが有益であるかもしれない。
【００５１】
あるインプリメンテーションにおいて、制御回路２０４は、例えば、ＩＦ信号２２４の周波数をスケールするか否か及びどのようにスケールするかを決定するために、１以上のアルゴリズム又は方式（formulas）にしたがって、種々の環境パラメータ２１２及び／又は閾パラメータ２１４を考慮するかもしれない。
【００５２】
次に図３に注意を向けると、それは、受信された無線信号のＩＦ周波数をスケールする（scale）ためにインプリメントされるかもしれない例示的な方法３００を示している。方法３００は、例えば、ブロック３０２で、ます少なくとも１つのＲＦ信号を受信することを含んでいるかもしれない。ブロック３０４において、方法３００は、受信されたＲＦ信号を、複数の周波数のレンジ内の選択された中心周波数を有する対応するＩＦ信号に選択的に周波数ダウンコンバートすることを含むかもしれない。例えば、ブロック３０４において、方法３００は、少なくとも部分的に少なくとも１つの環境パラメータに基づいて、受信されたＲＦ信号を、第１の中心周波数を有する対応する第１のＩＦ信号又は第２の中心周波数を有する少なくとも対応する第２のＩＦ信号のいずれかに選択的に周波数ダウンコンバートすることを含むかもしれない。ここで、例えば、第２の中心周波数は、第１の中心周波数よりも大きいかもしれない。
【００５３】
ブロック３０６に示されるように、環境パラメータが設定される（established）かもしれない。環境パラメータは、例えば、プログラマブルに及び／又は動的に（dynamically）設定されるかもしれない。環境パラメータ２１２（図２参照）は、例えば、ブロック３０２にしたがってＲＦ信号を受信することを可能にされた受信機回路２０２も含んだデバイス１０２とともに位置する（co-locate）かもしれない送信機回路に関連付けられるかもしれない。環境パラメータ２１２は、例えば、検出器回路２３４によって検出及び／又は受信されるかもしれない受信された無線信号２３６に関連付けられるかもしれない。環境パラメータ２１２は、例えば、デバイス電力消費モード、デバイス通信モード、デバイスナビゲーションモード、及び／又は同様の他のデバイス動作モードといった、少なくとも１つのデバイス動作モード（device operating mode）２３８に関連付けられるかもしれない。
【００５４】
ある例示的なインプリメンテーションにおいて、ブロック３０４は、環境パラメータが閾パラメータよりも小さければ、受信されたＲＦ信号を対応する第１のＩＦ信号に周波数ダウンコンバートし、環境パラメータが閾パラメータに等しい又は閾パラメータよりも大きければ、受信されたＲＦ信号を対応する第２のＩＦ信号に周波数ダウンコンバートすることを含むかもしれない。逆に、他の例示的なインプリメンテーションにおいて、ブロック３０４は、環境パラメータが閾パラメータに等しい又は閾パラメータよりも大きければ、受信されたＲＦ信号を対応する第１のＩＦ信号に周波数ダウンコンバートし、環境パラメータが閾パラメータよりも小さければ、受信されたＲＦ信号を対応する第２のＩＦ信号に周波数ダウンコンバートすることを含むかもしれない。
【００５５】
ブロック３０８に示されるように、閾パラメータは、例えば、プログラマブルに及び／又は動的に（dynamically）設定されるかもしれない。ブロック３１０に示されるように、第１の中心周波数及び／又は第２の中心周波数の少なくとも１つは、例えば、プログラマブルに及び／又は動的に（dynamically）設定されるかもしれない。ある例示的なインプリメンテーションにおいて、第１の中心周波数は、０Ｈｚ及び１００ＫＨｚの間であるかもしれない。ある例示的なインプリメンテーションにおいて、第２の中心周波数は、０Ｈｚよりも大きいかもしれない。
【００５６】
ブロック３０４は、例えば、受信されたＲＦ信号を対応する第１のＩＦ信号に周波数ダウンコンバートする際の使用のためにイネーブルにされる第１のＬＯ信号をアクセスすること、及び／又は、受信されたＲＦ信号を対応する第２のＩＦ信号に周波数ダウンコンバートする際の使用のためにイネーブルにされる第２のＬＯ信号をアクセスすることを含むかもしれない。あるインプリメンテーションにおいて、ブロック３０４は、第１のＬＯ信号及び／又は第２のＬＯ信号のいずれかを設定する（establish）ことを含むかもしれない。例として、第１のＬＯ信号及び／又は第２のＬＯ信号のいずれかは、少なくとも部分的にデディケイトされた（dedicated）信号発生回路等を用いて、設定されるかもしれない。他の例示的インプリメンテーションにおいて、第１のＬＯ信号及び／又は第２のＬＯ信号は、少なくとも部分的にプログラマブルな信号発生回路等（例えば、選択された周波数にプログラムされるかもしれないフェイズロックループ（ＰＬＬ）等）を用いて、設定されるかもしれない。
【００５７】
次に図４を参照すると、それは、例えば、図１の環境及び／又は図２のデバイスにインプリメントされるかもしれない例示的な受信機回路２０２の特徴を示したブロック図である。
【００５８】
図４に示されるような受信機回路２０２は、デジタルロウＩＦ（ＬＩＦ）構造を有し、シングルＩ／Ｑダウンコンバージョンステージ及びＩ及びＱアナログ信号をデジタイズするためのデュアルチャネルＡＤＣを伴っている。アナログＩ／Ｑステージは、例えば、非ゼロ中心周波数（nonzero center frequency）を有するバンドパス信号を含むかもしれない。最終的な０Ｈｚへのダウンコンバージョン（もし必要ならば）は、例えば、信号処理回路２２６（図２参照）内にインプリメントされているかもしれない。
【００５９】
この例示的インプリメンテーションにおいて、構造は、ＩＦ周波数が０Ｈｚに等しい場合に、ゼロＩＦ（ＺＩＦ）受信機になることを可能にされているかもしれない。ＲＦ／アナログ構造の見地から、ある例では、非常に低いＩＦ周波数（例えば、数十ｋＨｚよりも高く、おそらく１００ｋＨｚよりも高い）は、０ＨｚのＩＦ周波数から大きく異なっていないかもしれない。ここでのＺＩＦ動作の参照（reference）は、そのような非常に低いＩＦ周波数を含むかもしれない。
【００６０】
本説明の一視点によれば、ＩＦ周波数は、無線信号環境（wireless signaling environment）及び／又はデバイス動作モードに応答して、選択的に変化する（動的に変化することすらある）かもしれない。潜在的なジャミング（potential jamming）無線信号の存在において、ＩＦ周波数は、例えば、ジャミング信号歪み（例えば、ＩＭ２歪み）に起因する過剰なＳＰＳ受信機デセンス（SPS receiver desense）を避けるように増加するかもしれない。そのようなジャミング無線信号がない場合、ＩＦ周波数は、例えば、あるベースバンド回路において、電力消費を低減するために減少させられるかもしれない。
【００６１】
当業者は、例えば、受信機入力において増幅率（或いは位相も）が変調されたジャミング信号 ａJ(t)cos(ωJt＋θJ(t)) が与えられると、ＩＭ２歪みは、ａJ(t)2 に比例するかもしれないダウンコンバーティング回路出力でのターム（term）によって識別されるかもしれないことを、認識すべきである。ＩＭ２歪みは、いくつかの回路メカニズムの１つ又は組み合わせによって生成されるかもしれない。直接的なメカニズムは、ミキサコア（mixer core）に含まれるかもしれない及び／又はトランジスタミスマッチによって悪化させられる（exacerbated）かもしれないＦＥＴスイッチの固有の２次非線形性（inherent second order nonlinearity）であるかもしれない。他のメカニズムは、ミキサの入力ポートからＬＯポートへのジャミング信号のカップリングであるかもしれず、ジャミング信号のセルフミキシングにつながる。他の例示的な可能性は、ダウンコンバージョンにおいてジャミング信号の２次高調波（second harmonic）が、例えばＬＯデューティサイクルが丁度５０パーセントでない場合に、ＬＮＡ非線形性によって発生させられるかもしれないことかもしれず、それも、ＬＮＡ出力における高周波数タームをダウンコンバートする（例えば、ベースバンド）２次高調波コンポーネントを有するかもしれない。
【００６２】
ある例示的なインプリメンテーションにおける主要な関心事のジャミング信号は、デバイス内の受信機回路（例えば、ＳＰＳ受信機）とともに配置される（co-located）かもしれない送信機回路（例えば、セルラー等）を含むかもしれない。例えば、あるデバイス動作モードにおいて、ＳＰＳ受信機がセルラートランシーバとともに動作することを望まれるかもしれない。そのような動作は、しかしながら、ＣＤＭＡ２０００のような周波数ディヴィジョンデュプレクス（ＦＤＤ）システムにおける特に難しい問題を提起するかもしれず、トランシーバ回路が接続された状態の最中に連続的に放出する（radiate）かもしれない。不運にも、多くの設計において、出力電力の小部分（fraction）は、パフォーマンスを劣化させるかもしれないＳＰＳ受信機回路に結合するかもしれない。
【００６３】
図２を図４と比較すると、受信機回路２０２が、制御回路２０４（図２）が少なくとも部分的に図４のＩＦ制御回路４００によってインプリメントされるかもしれない例示的なＳＰＳ受信機として示される。また、信号発生回路２２８（図２）は、少なくとも部分的に、ＴＣＸＯ４１４、ＰＬＬ４１６、ループフィルタ４１８、ＶＣＯ４２０及び／又はＬＯ発生器４２２のようなアレンジメント回路によってインプリメントされるかもしれない。
【００６４】
ＰＬＬ４１６は、タイミング信号をループフィルタ４１８に供給することを可能にされているかもしれない。ループフィルタ４１８は、フィードバックをＰＬＬ４１６に与え、タイミング信号をＬＯ発生器４２２に与えることを可能にされるかもしれないＶＣＯ４２０にチューニング信号を供給する。ＬＯ発生器４２２は、Ｉ及びＱ  ＬＯ信号をＩＱミキサ４０８に供給することを可能にされているかもしれない。
【００６５】
ここで、例えば、ＴＣＸＯ４１４は、タイミング信号をＰＬＬ４１６に供給することを可能にされているかもしれない。ＴＣＸＯ４１４は、種々のリファレンス発振器タイプを含むことを意味されている。例えば、リファレンスは、周波数チューニング制御（ＶＣＴＣＸＯ）を有するかもしれず、或いは周波数制御及び温度補償回路のいずれも有していない単純な水晶発振器（ＸＯ）であるかもしれない。
【００６６】
図４において、ＳＰＳ信号１０７は、アンテナ４０２を介して受信されるかもしれない。アンテナ４０２は、受信されたＳＰＳ信号の外側のエネルギーを減衰させることを可能にされるかもしれないＲＦフィルタ４０４に入力信号として受信されたＳＰＳ信号を供給するように結合されているかもしれない。ＲＦフィルタ４０４は、受信されたＳＰＳ信号を増幅することを可能にされるかもしれないロウノイズ増幅器（ＬＮＡ）４０６に結合されているかもしれない。ＬＮＡ４０６は、ベースバンドフィルタ（ＢＢＦ）４１０及びＬＯ発生器４２２に結合されるかもしれないＩＱミキサ４０８に結合されているかもしれない。ＩＱミキサ４０８は、ＬＯ発生器４２２からのＬＯ信号にしたがって、ＬＮＡ４０６からのＲＦ信号を対応するＩ及びＱ  ＩＦ信号にダウンコンバートすることを可能にされているかもしれない。ＢＢＦ４１０は、アウトオブバンドエネルギーをＩ及びＱ  ＩＦ信号から除去するかもしれず、それはアナログデジタルコンバータ（ＡＤＣ）４１２によってデジタル化される。ＡＤＣ４１２からの対応するデジタルＩ及びＱデータは、信号処理回路２２６（図２）により何らかの方法でさらに処理されるかもしれない。例えば、信号処理回路２２６は、少なくともロケーション及び／又はナビゲーション情報の決定をサポートするＳＰＳ信号を処理することを可能にされるかもしれない。
【００６７】
制御４００は、例えば、環境パラメータ２１２（図２参照）に基づいて、ＢＢＦ４１０、ＡＤＣ４１２及び／又はＰＬＬ４１６を選択的に制御及び／又はプログラムすることを可能にされているかもしれない。例えば、環境パラメータ２１２は、送信機回路２３２（図２）に関連付けられた瞬間的な送信機出力電力に関する情報に基づくかもしれない。限定ではなく例として、ＳＰＳ受信機をセルラートランシーバに堅く統合するチップセットにおいて、そのような情報はＳＰＳ受信機を制御するソフトウェアに容易に適用可能であるかもしれない。
【００６８】
制御４００は、ハードウェア、ファームウェア、ソフトウェア及び／又はそれらの組み合わせによってインプリメントされるかもしれない。ＢＢＦ、ＡＤＣ及びＰＬＬブロックにおけるプログラマブル制御は、例えば、集積回路内のレジスタ等を介してプロセッシングユニットにさらされるかもしれない。
【００６９】
また、図４に示されるように、受信機回路２０２は、ダイナミックバイアススケーリングに対して供給することを可能にされるかもしれないバイアス制御回路４３０を（オプショナルに）含むかもしれない。ここで、例えば、バイアス制御４３０は、あるＲＦ回路パラメータ（例えば、ＬＮＡ  ＩＰ３，ＬＯ位相ノイズフロア（floor））を強いジャミング信号の存在において強固に（robust）調整することを可能にされるかもしれず、そのようなジャミング信号の不在においてそのようなパラメータを電力消費を低減するように再調整するかもしれない。
【００７０】
バイアス制御４３０は、例えば、バイアス電流／電圧をＬＮＡ４０６、ＩＱミキサ４０８及びＬＯ発生器４２２に供給するセントラルバイアス発生器を代表する（represent）かもしれない。ここで、例えば、ＬＮＡ４０６、ＩＱミキサ４０８及びＬＯ発生器４２２は、ローカルバイアス発生回路を有するかもしれない。バイアス制御４３０は、例えば、集積回路レジスタ等のソフトウェア（プログラマブル）制御を代表する（represent）かもしれない。バイアス制御の全部又は一部は、例えば、制御回路２０４（図２）に含まれるかもしれない。
【００７１】
あるインプリメンテーションにおいて、信号発生回路２２８及び周波数ダウンコンバーティング回路２２０は、例えば、ＲＦ信号を対応するＩＦ信号に周波数ダウンコンバートする際に使用するためのＬＯ信号を選択的に決定するかもしれない１以上のスイッチ（図示せず）を含むかもしれない。他のインプリメンテーションにおいて、そのようなスイッチ或いは他の同様のスイッチング回路の使用を避けるインプリメンテーションを有することが望ましいかもしれない。
【００７２】
このことに留意し及びさらに他の例として、図５を参照することとし、それは図２の受信機回路２０２にインプリメントされるかもしれない周波数ダウンコンバーティング回路５００の一部の例示的なインプリメンテーションを示している。
【００７３】
図５に示されるように、ＲＦ信号５０２は、バッファ５２６を介して低位相ノイズ（low phase noise）ダウンコンバータ５０４に、バッファ５４０を介して低電力（low power）ダウンコンバータ５０６に、供給されるかもしれない。ダウンコンバータ５０４及び５０６は、それぞれバッファ５１６及び５３０を介してＶＣＯ５１２に結合されるかもしれない。ＶＣＯ５１２は、バッファ５１４を介してＰＬＬ（図示せず）に結合されるかもしれない。ダウンコンバータ５０４は、例えば、それぞれがバッファ５２６に結合されたミキサ５２４及び５２８を含むかもしれない。ダウンコンバータ５０４は、バッファ５１６に結合され、対応する信号をバッファ５２０及び５２２に供給する位相ディバイダ５１８を含むかもしれず、バッファ５２０はミキサ５２４に結合され、バッファ５２２はミキサ５２８に結合されている。ダウンコンバータ５０６は、例えば、それぞれがバッファ５４０に結合されたミキサ５３８及び５４２を含むかもしれない。ダウンコンバータ５０６は、バッファ５３０に結合され、対応する信号をバッファ５３４及び５３６に供給する位相ディバイダ５３２を含むかもしれず、バッファ５３４はミキサ５３８に結合され、バッファ５３６はミキサ５４２に結合されている。Ｉ出力５０８がミキサ５２８又は５４２によって供給されるかもしれず、Ｑ出力５１０がミキサ５２４又は５３８によって供給されるかもしれない。
【００７４】
ＬＮＡ（図示せず）の出力ＲＦ信号５０２は、分離されたバッファ５２６及び５４０を通して両ダウンコンバータに供給されるかもしれず、バッファ５２６又は５４０の１つのみが任意の時点でアクティブである。非アクティブバッファ５２６又は５４０は、ＬＮＡにハイインピーダンスを提供するかもしれない。同様に、ＶＣＯ５１２の出力は、分離されたバッファ５１６及び５３０を通して両ダウンコンバータに供給されるかもしれず、バッファ５１６又は５３０の１つのみが任意の時点でアクティブである。ここで、例えば、非アクティブバッファ５１６又は５３０は、ＶＣＯ５１２のローディング（loading）を最小にするように構成されるかもしれない。さらに、ＶＣＯ５１２の出力は、バッファ５１４を介してＰＬＬ（図示せず）に供給されるかもしれない。
【００７５】
ミキサの出力は、例えば、ベースバンドフィルタ回路（図示せず）に結びつけられている及び／又は供給されているかもしれない。非アクティブ状態において、ＲＦ入力バッファ５２６又は５４０の出力は、アクティブダウンコンバータの出力に提供されたさらなる負荷を最小にするために、ハイインピーダンス状態に構成されるかもしれない。
【００７６】
セルラー送信機の他に、他の送信機が、ＳＰＳ受信機とともに配置されるかもしれず、同時の動作の最中に同様の困難性を示すかもしれない。他の送信機及びジャミング信号のソースの例は、ブルートゥース及び８０２．１１無線ＬＡＮを含む。ＳＰＳ受信機とともにそのような送信機を集積したチップセットにおいて、送信機出力電力に関する情報が、ＳＰＳ受信機を制御するソフトウェアに適用可能であるかもしれない。
【００７７】
上述したように、あるインプリメンテーションにおいて、選択されたＩＦ信号周波数は、デバイス内の電力消費に影響を与えるかもしれない。例えば、ダウンコンバージョンの後に、あるアナログ回路が、ＡＤＣを通過する前にベースバンド信号をフィルタ及び増幅することを可能にされるかもしれない。固定されたベースバンドゲインの要求を想定すると、そのような回路によって要求されるＤＣ電流は、帯域幅とともに増加する傾向にある。それ故、より高い帯域幅では、より高いデバイスωT が要求される信号ゲインを生成するために必要であるかもしれず、より高いωT がバイアス電流を増加させることによって達成されるかもしれない。長チャネル近似における例示的なＣＭＯＳＦＥＴインプリメンテーションに対し、デバイスωT がデバイストランスコンダクタンスに比例するかもしれず、デバイストランスコンダクタンスがバイアス電流のスクエアルートに比例するかもしれない。帯域幅Ｂを有するＳＰＳ信号に対し、ダウンコンバーティング回路出力での信号の最大周波数コンポーネントは、ｆm ＝ｆIF ＋Ｂ／２  であるかもしれない。それ故、例えば、ωT ∝ ｆm であるとすると、ＩDC ∝ ｆm2 ＝ Ｏ(ｆIF2) であるかもしれない。このＩＦ周波数に対するバイアス電流の２次の増加（quadratic growth）は、ショートチャネルデバイスに対するリニアな関係となるかもしれない。バイアス電流とＩＦ周波数との間の数学的な関係は、インプリメンテーションスペシフィックであるかもしれず、バイアス電流がＩＦ周波数の関数として増加することがほとんどのインプリメンテーションであるかもしれない。
【００７８】
ある例示的なインプリメンテーションにおいて、十分に高いサンプリング周波数で動作するＡＤＣ４１２に関連付けられたＤＣ電流ドレインは、ダイナミックスイッチング電流によって支配されるかもしれない。そのような電流は、例えば、サンプリング周波数ｆs とともにリニアに増加するかもしれない。公知のナイキストの定理によれば、エイリアシング歪み（aliasing distortion）を避けるためにサンプリング周波数は、ここではＡＤＣ４１２の入力において、信号の最大周波数コンポーネントｆm の２倍よりも大きくすべきである（ＩＦ周波数が、サブサンプリングアーキテクチャを無視する（rule out）ために十分に小さいと仮定する）。それ故、ＩＦ周波数を選択することは、要求されるサンプリング周波数に明確に影響を与えるかもしれない。より高いＩＦ周波数は、より高い最大周波数コンポーネントを有するベースバンド信号をもたらす（yield）かもしれない。例えば、より高いＩＦ周波数は、より高いベースバンド信号周波数コンポーネント、より高いサンプリング周波数、及び／又はより高いＤＣ電流を用いるかもしれない。
【００７９】
帯域幅Ｂを有するＳＰＳ信号に対し、ＡＤＣ４１２の入力における最大周波数コンポーネントは、ｆm ＝ｆIF ＋Ｂ／２ であるかもしれない。それ故、サンプリング周波数は、ｆs ＞２ｆm ＝２ｆIF ＋Ｂ を満たすことが必要であるかもしれない。その結果、ＤＣ電流は、ＩDC ＝ Ｏ(ｆs) ＝ Ｏ(ｆIF) としてスケールする（scale）かもしれない。
【００８０】
ＡＤＣ４１２に加えて、他のデジタル回路（例えば、以下のＡＤＣ４１２）がサンプリングレートでクロックされるために必要であるかもしれず、ＩＦ周波数に直接比例してスケールするＤＣ電流を要求するかもしれない。さらに、ダイナミック電流がＡＤＣ４１２のトータル電流消費を支配するかもしれないクロスオーバーポイントが、非常に高いサンプリング周波数で起こるかもしれないが、そのクロスオーバーポイントはＣＭＯＳデジタル回路に対して非常に低いであろう。
【００８１】
サンプリング周波数の可能な増加に追加して、他のＡＤＣに関連した変化が、ＩＦ周波数が増加したときに推奨されるかもしれない。例えば、ＺＩＦモードにおいてＡＤＣ４１２は、ＤＣでゼロを有する量子化ノイズ伝達関数（quantization noise transfer function）を有する、ロウパスシグマデルタ構造を有するかもしれない。ＬＩＦモードにおいて、バンドパスシグマデルタ構造へとスイッチし、ノイズ伝達関数におけるゼロを信号パスバンド（passband）にシフトすることは、有益であるかもしれない。
【００８２】
図７を参照すると、それはインプリメンテーションにしたがったダイナミック中間周波数スケーリングを示す４つのグラフを含み、それは例えば、図１の環境及び／又は図２のデバイス内でインプリメントされるかもしれない。より具体的には、図７は、ダイナミックＩＦスケーリングに関連した種々のＢＢＦ周波数応答を示している。
【００８３】
図７（ａ）のライン７０２は、ＳＰＳ信号帯域幅におおよそ等しい帯域幅を有する例示的な狭帯域（narrowband）ロウパスフィルタに関連付けられるかもしれない。例えば、ＧＰＳ Ｃ／Ａコード受信機は、〜２ＭＨｚの帯域幅を有するフィルタを用いるかもしれない。ＢＢＦは、ＺＩＦモードにおいて適切な選択を与えるかもしれない。ジャミング信号のＩＭ２プロダクト（jamming signal's IM2 product）からの周波数分離を与えないため、セルラー送信機等が非アクティブであるとき、及び／又は放出される電力がＩＭ２インターフェース電力がＳＰＳ受信機の熱ノイズフロア（thermal noise floor）を生じさせないかもしれないことに十分低いかもしれないときに、この構成は適切であるかもしれない。この例示的な構成の利点は、単純なフィルタデザイン及び／又は相対的に低いＤＣ電力消費を含むかもしれない。
【００８４】
図７（ｂ）のライン７０４で示されるように、ＩＦ周波数は増加し、ここでは例として、ライン７０６で表されるジャミング信号ＩＭ２からの周波数分離を与える。そのようなＩＭ２プロダクトは、０Ｈｚの中心周波数を有するかもしれず、その２つの側波帯域（two-sided bandwidth）は、ジャミング信号帯域幅の２倍であるかもしれない。そのようなＩＭ２プロダクトは、示されたような実質的なＤＣコンポーネントを有しているかもしれない。ＳＰＳ信号が帯域幅ＢSPS を有し、ともに位置する（co-located）送信機の帯域幅がＢTXであるとすると、ＩＭ２干渉を避けるために、ｆIF ＞ ＢTX ＋ ＢSPS／２ を選択するかもしれない。図７（ｂ）に示された例において、ＩＦ周波数は５＊１．０２３＝５．１１５ＭＨｚとして選択され、それはＧＰＳ Ｃ／Ａコード受信機（ＢSPS 〜２．０５ＭＨｚ）がＷＣＤＭＡリバースリンク（ＢTX〜３．８４ＭＨｚ）によって発生するＩＭ２プロダクトを避けるために、十分高いかもしれない。ＩＦ周波数のこの選択は、しかしながら、例えばＷＣＤＭＡ送信機出力に関連付けられた隣接するチャネルエミッションによって発生するＩＭ２干渉であるが、十分に低い電力レベルを有するかもしれないＩＭ２干渉を避けるために、十分高くはないかもしれない。
【００８５】
ある例示的なインプリメンテーションにおいて、ＩＦ周波数の選択は、少なくとも部分的に送信機帯域幅に基づいて動的に（dynamically）選択されるかもしれない。例えば、ＩＦ周波数は、ＣＤＭＡ１Ｘボイスコール（ＢTX〜１．２３ＭＨｚ）の最中に、ＷＣＤＭＡボイスコールの最中のように高い必要はないかもしれない。より低いＩＦ周波数は、低減された消費電力を可能にするかもしれない。
【００８６】
図７（ｂ）のＢＢＦは、ＳＰＳ信号がフィルタ中心に一致するような狭帯域（narrowband）応答の例示的なトランスレーションを示している。そのような結果的なフィルタ応答は、これが複合フィルタ（complex filter）であるかもしれないように、ポジティブ及びネガティブ周波数において対称ではないかもしれない。
【００８７】
図６は、少なくとも部分的に、そのようなフィルタ６００がどのようにインプリメントかの例を示している。ここで、フィルタ６００は、入力６０２及び出力６０８を有するかもしれず、それらの間にコンポーネント６０４、６０６及び６１０を有している。この例において、Ｈ（ｓ）＝（Ａvａ）／（ｓ＋ａ）は、電圧ゲインＡ、及びｓ＝−ａで実ポール（real pole）を有する１次アクティブフィルタの伝達関数（transfer function）であるかもしれない。例えば増幅器６１０を介するフィードバックパス内の複素定数（complex multiplier）ｊβにより、全体の応答は、実軸（real axis）をポイントｓ＝−ａ＋ｊＡvａβ（登録商標）にシフトされたポールを有する１次フィルタ６０６の１つであるかもしれない。フィルタ応答をＳＰＳ信号に整合させるために、ゲインβは、Ａvａβ＝２πｆIFを満たすように選択されるかもしれない。複素定数（complex multiplier）は、例えば、Ｉ及びＱコンポーネントを交換する（swap）ことによってインプリメントされるかもしれない。増幅器６１０の入力で信号ペア（Ｉ，Ｑ）を与えると、出力での信号ペアは（−βＱ，βＩ）であるかもしれない。
【００８８】
図７（ｂ）のフィルタの欠点（drawback）は、複雑な（complex）フィルタをインプリメントするために要求される追加の回路の複雑性であるかもしれない。さらに、フィルタの中心周波数が、信号に対する整合を確保するためにオンチップチューニングを要求するかもしれない。図７（ｃ）は、同一のＩＦ周波数で用いられるかもしれない代わりのフィルタ応答（ライン７０８）を示している。ここで、複雑なフィルタは、広い帯域幅を有するロウパスフィルタによって置き換えられるかもしれない。このフィルタは、ＩＭ２歪みプロダクトを全く拒絶しないかもしれず、ＡＤＣ４１２は、飽和なしにそのような歪みを通過させるために十分なダイナミックレンジを与えることを可能とされているかもしれない。ＩＭ２プロダクトは、ＡＤＣ４１２の後で（例えば、信号処理回路２２６（図２参照）内）、例えば、デジタルフィルタ等によって、続いて除去されるかもしれない。
【００８９】
図７（ｄ）は、例えば、ダウンコンバータ出力にＡＣカップリングすることによって成しとげられるかもしれないような、ＤＣでのノッチ（notch）の付加を有するモディファイされたフィルタ（ライン７１０）を示している。そのようなノッチは、ＩＭ２プロダクトの大きな部分を拒絶するかもしれず、それは、あるインプリメンテーションにおいて、ＡＤＣ４１２のダイナミックレンジ要求を緩和するかもしれない。選択されたＩＦ周波数７０４が十分高い中心周波数を有しているとすると、ノッチはかなり（fairly）広いかもしれず、それはＡＤＣダイナミックレンジ要求に影響を与えるかもしれない。
【００９０】
再び図４を参照すると、ＩＦ制御４００は、例えば、少なくとも部分的に、ソフトウェアステートマシーン等を用いてインプリメントされているかもしれない。インタラプトが、少なくとも部分的に、環境パラメータ２１２に基づいて発生するかもしれない。例えば、インタラプトは、送信機が対応する閾パラメータ２１４を越える出力電力を生成する或いはほぼ生成するときに、ＤＳＰ制御送信機回路２３２によって発生するかもしれない。そのようなインタラプトを受信すると、プロセッサユニット２０６は、ＩＦ信号周波数及び／又は受信機バイアスにおいて変化を開始するかもしれない（例えば、受信機回路を高リニアリティモードにスイッチする）。あるインプリメンテーションにおいて、そのようなオぺレーショナルな変化は、送信機回路２３２及び／又は受信機回路２０２の他の視点に関連するかもしれず、そのようなオぺレーショナルな変化は、送信信号の帯域及び／又はチャネルに基づいて生じるかもしれない。
【００９１】
強いジャミング（jamming）信号の欠如において、受信機回路２０２は、ＺＩＦ受信機として可能であるかもしれず、それは電力消費を低減するかもしれない。強いジャミング（jamming）信号の存在において、ステートマシーンは、例えば、ＬＩＦモードへの遷移を始めることを可能にされるかもしれない。ここで、あるインプリメンテーションにおいて、ＬＩＦモードのＩＦ周波数は、送信機帯域及び／又はチャネル、及び／又は送信機帯域幅の関数であるかもしれない。例えば、ＩＦ周波数は、ＡＷＳ帯域の１５ＭＨｚのＬＴＥトラフィック（traffic）の最中の方が、ＡＷＳ帯域の５ＭＨｚのＬＴＥトラフィック（traffic）の最中よりも高いかもしれない。
【００９２】
時間及び／又は電力ヒステリシスが、あるインプリメンテーションにおいて、例えば、ステートマシーンが出力電力変動に起因して状態（state）間で過剰にトグルする（toggle）ことを防止するために、考慮されるかもしれない。それらは非常に緊急に伝え（carry）ないかもしれないので、低いＩＦ周波数を有する状態（state）への遷移は、インタラプトによってではなく、その代わりに出力電力の低レートポーリング（low rate polling）及び／又は同様の他の方法によって、開始しないかもしれない。
【００９３】
他の例示的なインタラプト発生メカニズムは、セルラー受信機（図示せず）からの受信された信号強度（例えば、ＲＳＳＩ）を何らかの方法で考慮することを可能にされるかもしれないデジタルロジック等を用いるかもしれない。他のインプリメンテーションにおいて、しかしながら、アップリンク及びダウンリンクチャネルにおける潜在的に異なったフェーディング（fading）特性に起因する送信機出力電力を考慮することは、有益であるかもしてない。
【００９４】
ある他のインプリメンテーションにおいて、より入念な（elaborate）インタラプト発生メカニズムは、例えば、一般目的のジャミング信号検出器の形態の検出器回路２３４を与えるためにアナログ及び／又はデジタルハードウェア等を用いて提供されるかもしれない。そのような一般目的のジャミング信号検出器は、それが、内部的に発生されたジャミング信号に基づくだけでなく、外部のジャミング信号に応答して、ＳＰＳ受信機状態が調整されることを許容するかもしれないため、あるインプリメンテーションにおいて効果的であるかもしれない。さらに、そのようなジャミング信号検出器は、セルラートランシーバ及び／又は他の同様の送信機回路に結合される必要がないかもしれない。
【００９５】
あるインプリメンテーションにおいて、受信機回路２０２は、リニアリティ状態（例えば、バイアス制御回路４３０を介する）及び／又はＩＦ周波数が調整されたとき（例えば、ＩＦ制御４００を介する）の変化によって導入されるかもしれない不連続性を考慮するように設計される必要があるかもしれない。ＰＬＬ４１６は、ＩＦ周波数が変化したときに再プログラムされる及び／又は影響を受けるかもしれないため、ＰＬＬはアンロックであるかもしれず、それはＰＬＬが新しい周波数を決めながらＳＰＳ信号の停止（outage）に導くかもしれない。そのような信号インタラプトは、数百マイクロ秒に制限されるべきであり、それは一般にＳＰＳ受信機パフォーマンスに悪影響を与えるべきではない。例えば、ＧＰＳ Ｃ／Ａコード受信機は、信号を２０秒間コヒーレントにインテグレートする（integrate）かもしれず、全てのコヒーレントな合計（sum）における０．２ｍｓの信号停止（outage）は、〜０．０４ｄＢだけアクイジション感度（acquisition sensitivity）を劣化させるかもしれない。ヒステリシスは、インタラプトの周波数を減少させる及び／又はそのようなインタラプトが生じることを防止するために、ステートマシーン内にインプリメントされるかもしれない。ＰＬＬ４１６がアンロックされているかもしれない最中に、ＬＯ周波数はＳＰＳ帯域のはるかに外側にスイングするかもしれない。それは強いジャミング信号によって潜在的にスイングすることができ、それはＳＰＳ受信機通過帯（passband）になる（fall into）かもしれない。それ故、強い干渉がＳＰＳ信号インテグレーションにインジェクトされる可能性があるかもしれず、信号−ノイズ比（例えば、Ｃ／Ｎｏ）を劣化させるかもしれない。この可能性は、例えば、ＰＬＬがアンロックである最中にＳＰＳ受信機をブランクにすることによって、避けられるかもしれない。ブランクにされると、信号処理回路２２６（それは、例えば、１以上のコリレータ（correlator）を含むかもしれない）を通過するＩ／Ｑサンプルは、ゼロ或いは他の小さな値にされるかもしれない。ＳＰＳ受信機の状態は、ブランクである最中にオペレーティブに凍結される（frozen）かもしれない。例えば、外部インターフェースがデジタルオートマチックゲインコントロール（ＡＧＣ）をかき乱す（perturb）ことを防止するために、ＡＧＣをドライブする増幅度評価器（amplitude estimator）等（図示せず）の状態はオペレーティブに凍結される（frozen）かもしれない。
【００９６】
当業者は、他のブランキング方法がインプリメントされるかもしれないことを認識するであろう。例えば、ＳＰＳ受信機ＬＮＡは、ＰＬＬがアンロックである最中に不活性化される（de-energized）かもしれず、それ故、スイングするＶＣＯによって信号帯域にミックスされるかもしれないジャミング信号を減衰させるかもしれない。
【００９７】
図７の例示的なグラフに示されるような異なったフィルタ構成間をスイッチするとき、特に狭帯域（narrowband）及び広帯域（wideband）フィルタ間をスイッチするとき、ＳＰＳ受信機によるグループディレイが変化するかもしれない。グループディレイのそのような変化は、確実に（in fix accuracy）劣化を防止するために、ＳＰＳ受信機のどこかで補償されるべきである。例えば、１ｎｓのグループディレイジャンプ（jump）は擬似レンジ測定（pseudorange measurement）において〜３０ｃｍのジャンプに対応する。グループディレイにおけるジャンプは、例えば、あるインプリメンテーションにおけるソフトウェアによって補償されるかもしれない。他のインプリメンテーションにおいて、専用のデジタルハードウェアが代わりに用いられるかもしれない。例えば、レート１／ＴでアップデートされたＮ個のレジスタからなるタップト（tapped）ディレイライン（図示せず）等が、粗い（coarse）タイムステップにおいて０からＮＴのプログラマブルディレイをインプリメントするために用いられるかもしれない。細かい（fine）グループディレイ補償が、リニア補間（interpolation）フィルタ（図示せず）によってインプリメントされるかもしれず、それは補間ノードの位置をシフトさせることを可能にさせるかもしれない。そのような補間ポイントのシフトは、グループディレイシフトと等価である。
【００９８】
例示的なＬＩＦアーキテクチャにおいて、受信機回路２０２のイメージ除去比（image rejection ratio）（ＩＲＲ）は、少なくとも大きな部分において、ＬＯの増幅度及び位相の不均衡（imbalance）によって決定されるかもしれない。クラシカルなスーパーへテロダインアーキテクチャとは違って、ＲＦフィルタは、イメージ帯域（image band）における任意の抑圧（suppression）を与えることを要求されていないかもしれない。２０ｄＢよりも優れたＩＲＲは、達成可能であるかもしれず、そのようなＩＲＲは、イメージ帯域（image band）内に強いジャミング信号が存在しなければ、十分であるかもしれない。そのような条件は、イメージ帯域が所望の信号と同じサテライト無線ナビゲーション帯域に存在するように、ＩＦ周波数上の上境界（upper bound）を設置することによって、促進されるかもしれない。
【００９９】
例えば、キャリア周波数１５７５．４２ＭＨｚを有するＧＰＳＬ１信号は、世界的にサテライト無線ナビゲーションを割り当てられた帯域１５５９−１６１０ＭＨｚ内に存在する。Ｃ／Ａコード受信機は、中心が１５７５．４２ＭＨｚである幅２ＭＨｚの通過帯域（passband）を有するかもしれず、そのケースでは、イメージ帯域（image band）もまた２ＭＨｚの広さであるかもしれない。このＣ／Ａコード受信機がロウサイドインジェンション（low side injection）を用いたロウＩＦ受信機であるとすると、イメージ帯域が、例えば最大許容ＩＦ周波数が７．７１ＭＨｚであるとすると、１５５９−１６１０ＭＨｚ内に存在することを可能にされるかもしれない。ハイサイドインジェンション（high side injection）を用いたロウＩＦ受信機に対し、対応する最大許容ＩＦ周波数は１６．７９ＭＨｚであるかもしれない。ここで、例えば、ＧＰＳ信号が帯域中心の左に位置するように、イメージ帯域をハイサイド（high side）にフィットさせるためのより多くのルーム（room）があるかもしれない。
【０１００】
ある例示的なインプリメンテーションにしたがい、受信されたＲＦ信号を、受信機の電力消費の低減に影響を与える或いは低減を可能にするために、対応する第１のＩＦ信号に周波数ダウンコンバートするため、及び／又は、受信されたＲＦ信号を、ジャミングＲＦ信号の存在における改善された受信機パフォーマンスに影響を与える或いは改善された受信機パフォーマンスを可能にするために、対応する第２のＩＦ信号に周波数ダウンコンバートするために、方法及び装置がインプリメントされるかもしれない。
【０１０１】
それ故、限定ではなく例として、ＩＦ周波数を下げるためのトリガは、低電力モードにおいて動作するための命令（directive）を含むかもしれず、その中に、ジャマーの存在におけるパフォーマンスの劣化があるかもしれない。そのような命令（directive）は、例えばエアプレーンモード（それは、ともに位置する（co-located）トランシーバをディセーブル（disable）にする）をイネーブルにするとき、或いは他のときに、ユーザーによって開始されるかもしれない。そのような命令（directive）は、バッテリーレベルが閾レベルより下がるとすると、ＳＰＳ受信機が電力を保存する（conserve）モードに入るかもしれないように、バッテリーレベルをモニタすることを可能にされるかもしれないソフトウェアインストラクション／モジュールによって、開始されるかもしれない。
【０１０２】
それ故、あるインプリメンテーションにおいて、ＩＦスイッチングは、少なくとも部分的に、受信機電力、帯域及び／又は帯域幅に基づいてインプリメントされるかもしれない。そのようなＩＦスイッチングは、例えば、ＬＩＦ受信機のロバストネス（robustness）が過剰或いは過度であるかもしれないときに、電力をセーブするためにインプリメントされるかもしれない。ここで、そのような電力セービングは、環境ディクテイト（environment dictate）として電力をセーブするかもしれないという意味（sense）において、日和見主義的（opportunistic）であるかもしれない。それ故、ＬＩＦ及びＺＩＦ間でスイッチするためのトリガは、本質的に送信機に関連しているかもしれない。
【０１０３】
ある例示的な技術が、種々の方法及びシステムを用いてここに説明され及び示されたが、当業者は、クレームされた主題から逸脱することなく、種々の他のモディファイケーションがなされ、均等なものが置き換えられるかもしれないことを理解すべきである。さらに、ここに述べられた中心的なコンセプトから逸脱することなく、クレームされた主題の教示に特定のシチュエーションを適合させるために、多くのモディファイケーションがなされるかもしれない。したがって、クレームされた主題が開示された特定の例に限定されず、そのようなクレームされた主題が、添付されたクレーム及びその均等物の範囲内にある全てのインプリメンテーションを含むかもしれないことが意図されている。
以下に、本願出願時の請求の範囲に記載された発明を付記する。
［１］無線周波数（ＲＦ）信号を受信することと、
少なくとも部分的に環境パラメータに基づいて、前記受信されたＲＦ信号を第１の中心周波数を有する対応する第１の中間周波数（ＩＦ）信号又は第２の中心周波数を有する少なくとも対応する第２のＩＦ信号のいずれかに選択的に周波数ダウンコンバートすることであって、前記第２の中心周波数が前記第１の中心周波数よりも大きいことと、
を備えた方法。
［２］前記受信されたＲＦ信号を選択的に周波数ダウンコンバートすることは、
前記環境パラメータが閾パラメータよりも小さければ、前記受信されたＲＦ信号を前記対応する第１のＩＦ信号に周波数ダウンコンバートすることと、
前記環境パラメータが前記閾パラメータに等しい又は前記閾パラメータよりも大きければ、前記受信されたＲＦ信号を前記対応する第２のＩＦ信号に周波数ダウンコンバートすることと、
をさらに備える［１］に記載された方法。
［３］前記閾パラメータは、プログラマブルに及び／又は動的に設定される
［２］に記載された方法。
［４］前記第１の中心周波数及び／又は前記第２の中心周波数の少なくとも１つは、プログラマブルに及び／又は動的に設定される
［１］に記載された方法。
［５］前記受信されたＲＦ信号を前記対応する第１のＩＦ信号に周波数ダウンコンバートする際の使用のためにオペレーティブにイネーブルにされる第１のローカルオシレータ（ＬＯ）信号をアクセスすることと、
前記受信されたＲＦ信号を前記対応する第２のＩＦ信号に周波数ダウンコンバートする際の使用のためにオペレーティブにイネーブルにされる第２のＬＯ信号をアクセスすることと、
をさらに備えた［１］に記載された方法。
［６］前記第１のＬＯ信号又は前記第２のＬＯ信号のいずれかをプログラマブル信号発生回路によって選択的に設定することを
さらに備えた［５］に記載された方法。
［７］少なくとも部分的に前記環境パラメータに基づいて、ベースバンドフィルタ回路、アナログデジタルコンバータ回路及び／又はフェイズロックループ回路の少なくとも１つを選択的にプログラムすることを
さらに備えた［１］に記載された方法。
［８］前記受信されたＲＦ信号を、低位相ノイズダウンコンバータ及び／又は低電力ダウンコンバータの少なくとも１つを備えた周波数ダウンコンバーティング回路に供給することを
さらに備えた［１］に記載された方法。
［９］前記第１の中心周波数によって受信機回路がゼロＩＦ（ＺＩＦ）アーキテクチャとして動作し、前記第２の中心周波数によって前記受信機回路がロウＩＦ（ＬＩＦ）アーキテクチャとして動作する
［１］に記載された方法。
［１０］前記環境パラメータは、
前記ＲＦ信号を受信するためにオペレーティブにイネーブルにされる受信機回路とともに配置される送信機回路、
受信された無線信号、及び／又は
デバイス動作モード
の少なくとも１つに関連付けられる
［１］に記載された方法。
［１１］前記デバイス動作モードは、デバイス電力消費モード、デバイス通信モード、及び／又はデバイスナビゲーションモードの少なくとも１つに関連付けられる
［１０］に記載された方法。
［１２］前記環境パラメータは、送信機電力、送信機周波数、及び／又は送信機帯域幅の少なくとも１つに関連付けられる
［１］に記載された方法。
［１３］前記受信されたＲＦ信号は、スペースポジショニングシステム（ＳＰＳ）信号を備える
［１］に記載された方法。
［１４］少なくとも部分的にデバイス電力消費モードに基づいて、前記受信されたＲＦ信号を前記対応する第１のＩＦ信号又は少なくとも前記対応する第２のＩＦ信号のいずれかに選択的に周波数ダウンコンバートすることを
さらに備えた［１］に記載された方法。
［１５］前記受信されたＲＦ信号を選択的に周波数ダウンコンバートすることは、
受信機の電力消費を低減する効果をもたらすために、前記受信されたＲＦ信号を前記対応する第１のＩＦ信号に周波数ダウンコンバートすることと、
ジャミング（jamming）ＲＦ信号の存在における改善された受信機パフォーマンスの効果をもたらすために、前記受信されたＲＦ信号を前記対応する第２のＩＦ信号に周波数ダウンコンバートすることと、
を備える［１］に記載された方法。
［１６］無線周波数（ＲＦ）信号を受信し、少なくとも部分的に環境パラメータに基づいて、前記受信されたＲＦ信号を第１の中心周波数を有する対応する第１の中間周波数（ＩＦ）信号又は第２の中心周波数を有する少なくとも対応する第２のＩＦ信号のいずれかに選択的に周波数ダウンコンバートすることをオペレーティブにイネーブルにされ、前記第２の中心周波数が前記第１の中心周波数よりも大きい受信機回路
を備えた装置。
［１７］前記受信機回路は、前記環境パラメータが閾パラメータよりも小さければ、前記受信されたＲＦ信号を前記対応する第１のＩＦ信号に周波数ダウンコンバートし、前記環境パラメータが前記閾パラメータに等しい又は前記閾パラメータよりも大きければ、前記受信されたＲＦ信号を前記対応する第２のＩＦ信号に周波数ダウンコンバートすることをオペレーティブにイネーブルにされる
［１６］に記載された装置。
［１８］前記閾パラメータは、プログラマブルに及び／又は動的に設定される
［１７］に記載された装置。
［１９］前記第１の中心周波数及び／又は前記第２の中心周波数の少なくとも１つは、プログラマブルに及び／又は動的に設定される
［１６］に記載された装置。
［２０］前記受信されたＲＦ信号を前記対応する第１のＩＦ信号に周波数ダウンコンバートする際の使用のためにオペレーティブにイネーブルにされる第１のローカルオシレータ（ＬＯ）信号、及び／又は前記受信されたＲＦ信号を前記対応する第２のＩＦ信号に周波数ダウンコンバートする際の使用のためにオペレーティブにイネーブルにされる第２のＬＯ信号の少なくとも１つを発生させることをオペレーティブにイネーブルにされる少なくとも１つの信号発生回路を
さらに備えた［１６］に記載された装置。
［２１］前記少なくとも１つの信号発生回路は、前記第１のＬＯ信号又は前記第２のＬＯ信号のいずれかを選択的に発生することをオペレーティブにイネーブルにされるプログラマブル信号発生回路を備える
［２０］に記載された装置。
［２２］前記受信機は、少なくとも部分的に前記環境パラメータに基づいて、選択的にプログラムされるベースバンドフィルタ回路、アナログデジタルコンバータ回路及び／又はフェイズロックループ回路の少なくとも１つを備える
［１６］に記載された装置。
［２３］前記受信機は、前記受信されたＲＦ信号を受信することをオペレーティブにイネーブルにされ、低位相ノイズダウンコンバータ及び／又は低電力ダウンコンバータの少なくとも１つを備えた周波数ダウンコンバーティング回路を備える
［１６］に記載された装置。
［２４］前記第１の中心周波数によって前記受信機回路がゼロＩＦ（ＺＩＦ）アーキテクチャとして動作し、前記第２の中心周波数によって前記受信機回路がロウＩＦ（ＬＩＦ）アーキテクチャとして動作する
［１６］に記載された装置。
［２５］前記環境パラメータは、
前記受信機回路とともに配置される送信機回路、
受信された無線信号、及び／又は
デバイス動作モード
の少なくとも１つに関連付けられる
［１６］に記載された装置。
［２６］前記デバイス動作モードは、デバイス電力消費モード、デバイス通信モード、及び／又はデバイスナビゲーションモードの少なくとも１つに関連付けられる
［２５］に記載された装置。
［２７］前記環境パラメータは、送信機電力、送信機周波数、及び／又は送信機帯域幅の少なくとも１つに関連付けられる
［１６］に記載された装置。
［２８］前記受信されたＲＦ信号は、スペースポジショニングシステム（ＳＰＳ）信号を備える
［１６］に記載された装置。
［２９］前記受信機回路は、少なくとも部分的にデバイス電力消費モードに基づいて、前記受信されたＲＦ信号を前記対応する第１のＩＦ信号又は少なくとも前記対応する第２のＩＦ信号のいずれかに選択的に周波数ダウンコンバートすることをオペレーティブにイネーブルにされる
［１６］に記載された装置。
［３０］前記受信機回路は、
受信機の電力消費を低減する効果をもたらすために、前記受信されたＲＦ信号を前記対応する第１のＩＦ信号に周波数ダウンコンバートすることと、
ジャミング（jamming）ＲＦ信号の存在における改善された受信機パフォーマンスの効果をもたらすために、前記受信されたＲＦ信号を前記対応する第２のＩＦ信号に周波数ダウンコンバートすることと、
をオペレーティブにイネーブルにされる
［１６］に記載された装置。
［３１］無線周波数（ＲＦ）信号を受信する手段と、
少なくとも部分的に環境パラメータに基づいて、前記受信されたＲＦ信号を第１の中心周波数を有する対応する第１の中間周波数（ＩＦ）信号又は第２の中心周波数を有する少なくとも対応する第２のＩＦ信号のいずれかに選択的に周波数ダウンコンバートする手段であって、前記第２の中心周波数が前記第１の中心周波数よりも大きい手段と、
を備えた装置。
［３２］前記受信されたＲＦ信号を選択的に周波数ダウンコンバートする手段は、前記環境パラメータが閾パラメータよりも小さければ、前記受信されたＲＦ信号を前記対応する第１のＩＦ信号に周波数ダウンコンバートし、前記環境パラメータが前記閾パラメータに等しい又は前記閾パラメータよりも大きければ、前記受信されたＲＦ信号を前記対応する第２のＩＦ信号に周波数ダウンコンバートすることをオペレーティブにイネーブルにされる
［３１］に記載された装置。
［３３］前記閾パラメータをプログラマブルに及び／又は動的に設定する手段を
さらに備えた［３２］に記載された装置。
［３４］前記第１の中心周波数及び／又は前記第２の中心周波数の少なくとも１つをプログラマブルに及び／又は動的に設定する手段を
さらに備えた［３１］に記載された装置。
［３５］前記受信されたＲＦ信号を前記対応する第１のＩＦ信号に周波数ダウンコンバートするために前記受信されたＲＦ信号を選択的に周波数ダウンコンバートする手段によって使用するための第１のローカルオシレータ（ＬＯ）信号を設定する手段と、
前記受信されたＲＦ信号を前記対応する第２のＩＦ信号に周波数ダウンコンバートするために前記受信されたＲＦ信号を選択的に周波数ダウンコンバートする手段によって使用するための第２のＬＯ信号を設定する手段と、
をさらに備えた［３１］に記載された装置。
［３６］前記第１のＬＯ信号又は前記第２のＬＯ信号のいずれかをプログラマブル信号発生回路によって選択的に設定する手段を
さらに備えた［３５］に記載された装置。
［３７］少なくとも部分的に前記環境パラメータに基づいて、ベースバンドフィルタ回路、アナログデジタルコンバータ回路及び／又はフェイズロックループ回路の少なくとも１つを選択的にプログラムする手段を
さらに備えた［３１］に記載された装置。
［３８］前記受信されたＲＦ信号を、低位相ノイズダウンコンバータ及び／又は低電力ダウンコンバータの少なくとも１つを備えた周波数ダウンコンバーティング回路に供給する手段を
さらに備えた［３１］に記載された装置。
［３９］前記第１の中心周波数によって前記受信されたＲＦ信号を選択的に周波数ダウンコンバートする手段がゼロＩＦ（ＺＩＦ）受信機アーキテクチャとして動作し、前記第２の中心周波数によって前記受信されたＲＦ信号を選択的に周波数ダウンコンバートする手段がロウＩＦ（ＬＩＦ）受信機アーキテクチャとして動作する
［３１］に記載された装置。
［４０］前記環境パラメータは、送信機回路、受信された無線信号、及び／又はデバイス動作モードの少なくとも１つに関連付けられる
［３１］に記載された装置。
［４１］前記デバイス動作モードは、デバイス電力消費モード、デバイス通信モード、及び／又はデバイスナビゲーションモードの少なくとも１つに関連付けられる
［４０］に記載された装置。
［４２］前記受信されたＲＦ信号は、スペースポジショニングシステム（ＳＰＳ）信号を備える
［３１］に記載された装置。
［４３］前記環境パラメータは、送信機電力、送信機周波数、及び／又は送信機帯域幅の少なくとも１つに関連付けられる
［３１］に記載された装置。
［４４］少なくとも部分的にデバイス電力消費モードに基づいて、前記受信されたＲＦ信号を前記対応する第１のＩＦ信号又は少なくとも前記対応する第２のＩＦ信号のいずれかに選択的に周波数ダウンコンバートする手段を
さらに備えた［３１］に記載された装置。
［４５］前記受信されたＲＦ信号を選択的に周波数ダウンコンバートする手段は、受信機の電力消費を低減する効果をもたらすために、前記受信されたＲＦ信号を前記対応する第１のＩＦ信号に周波数ダウンコンバートし、ジャミング（jamming）ＲＦ信号の存在における改善された装置パフォーマンスの効果をもたらすために、前記受信されたＲＦ信号を前記対応する第２のＩＦ信号に周波数ダウンコンバートする
［３１］に記載された装置。
［４６］コンピュータインプリメント可能なインストラクションを記憶するコンピュータ読み取り可能な媒体を備えたアーティクルであって、前記インストラクションは、１以上のプロセッシングユニットによってインプリメントされると、前記１以上のプロセッシングユニットをオペレーティブにイネーブルにして、
環境パラメータをアクセスさせ、
少なくとも部分的に前記環境パラメータに基づいて、受信されたＲＦ信号を第１の中心周波数を有する対応する第１の中間周波数（ＩＦ）信号又は第２の中心周波数を有する少なくとも対応する第２のＩＦ信号のいずれかに周波数ダウンコンバートするために、無線周波数（ＲＦ）信号を受信することをオペレーティブにイネーブルにされる受信機回路を選択的にイネーブルにさせ、前記第２の中心周波数が前記第１の中心周波数よりも大きい。
［４７］前記コンピュータインプリメント可能なインストラクションは、前記１以上のプロセッシングユニットによってインプリメントされると、前記１以上のプロセッシングユニットをオペレーティブにイネーブルにして、
閾パラメータをアクセスさせ、
前記環境パラメータが前記閾パラメータよりも小さければ、前記受信されたＲＦ信号を前記対応する第１のＩＦ信号に周波数ダウンコンバートし、前記環境パラメータが前記閾パラメータに等しい又は前記閾パラメータよりも大きければ、前記受信されたＲＦ信号を前記対応する第２のＩＦ信号に周波数ダウンコンバートさせる
［４６］に記載されたアーティクル。
［４８］前記コンピュータインプリメント可能なインストラクションは、前記１以上のプロセッシングユニットによってインプリメントされると、前記１以上のプロセッシングユニットをオペレーティブにイネーブルにして、
前記閾パラメータをプログラマブルに及び／又は動的に設定させる
［４７］に記載されたアーティクル。
［４９］前記コンピュータインプリメント可能なインストラクションは、前記１以上のプロセッシングユニットによってインプリメントされると、前記１以上のプロセッシングユニットをオペレーティブにイネーブルにして、
前記第１の中心周波数及び／又は前記第２の中心周波数の少なくとも１つをプログラマブルに及び／又は動的に設定させる
［４６］に記載されたアーティクル。
［５０］前記コンピュータインプリメント可能なインストラクションは、前記１以上のプロセッシングユニットによってインプリメントされると、前記１以上のプロセッシングユニットをオペレーティブにイネーブルにして、
前記受信されたＲＦ信号を前記対応する第１のＩＦ信号に周波数ダウンコンバートする際の使用のためにオペレーティブにイネーブルにされる第１のローカルオシレータ（ＬＯ）信号へのアクセスを可能にさせ、
前記受信されたＲＦ信号を前記対応する第２のＩＦ信号に周波数ダウンコンバートする際の使用のためにオペレーティブにイネーブルにされる第２のＬＯ信号へのアクセスを可能にさせる
［４６］に記載されたアーティクル。
［５１］前記コンピュータインプリメント可能なインストラクションは、前記１以上のプロセッシングユニットによってインプリメントされると、前記１以上のプロセッシングユニットをオペレーティブにイネーブルにして、
前記第１のＬＯ信号又は前記第２のＬＯ信号のいずれかの設定をプログラマブル信号発生回路によって選択的に始めさせる
［５０］に記載されたアーティクル。
［５２］前記コンピュータインプリメント可能なインストラクションは、前記１以上のプロセッシングユニットによってインプリメントされると、前記１以上のプロセッシングユニットをオペレーティブにイネーブルにして、
少なくとも部分的に前記環境パラメータに基づいて、ベースバンドフィルタ回路、アナログデジタルコンバータ回路及び／又はフェイズロックループ回路の少なくとも１つを選択的にプログラムさせる
［４６］に記載されたアーティクル。
［５３］前記第１の中心周波数によって前記受信機回路がゼロＩＦ（ＺＩＦ）アーキテクチャとして動作し、前記第２の中心周波数によって前記受信機回路がロウＩＦ（ＬＩＦ）アーキテクチャとして動作する
［４６］に記載されたアーティクル。
［５４］前記環境パラメータは、送信機回路、受信された無線信号、及び／又はデバイス動作モードの少なくとも１つに関連付けられる
［４６］に記載されたアーティクル。
［５５］前記デバイス動作モードは、デバイス電力消費モード、デバイス通信モード、及び／又はデバイスナビゲーションモードの少なくとも１つに関連付けられる
［５４］に記載されたアーティクル。
［５６］前記環境パラメータは、送信機電力、送信機周波数、及び／又は送信機帯域幅の少なくとも１つに関連付けられる
［４６］に記載されたアーティクル。
［５７］前記受信されたＲＦ信号は、スペースポジショニングシステム（ＳＰＳ）信号を備える
［４６］に記載されたアーティクル。
［５８］前記コンピュータインプリメント可能なインストラクションは、前記１以上のプロセッシングユニットによってインプリメントされると、前記１以上のプロセッシングユニットをオペレーティブにイネーブルにして、
少なくとも部分的にデバイス電力消費モードに基づいて、前記受信されたＲＦ信号の前記対応する第１のＩＦ信号又は少なくとも前記対応する第２のＩＦ信号のいずれかへの周波数ダウンコンバージョンを選択的に始めさせる
［４６］に記載されたアーティクル。
［５９］前記コンピュータインプリメント可能なインストラクションは、前記１以上のプロセッシングユニットによってインプリメントされると、前記１以上のプロセッシングユニットをオペレーティブにイネーブルにして、
受信機の電力消費を低減する効果をもたらすために、前記受信されたＲＦ信号の前記対応する第１のＩＦ信号への周波数ダウンコンバージョンを始めさせ、
ジャミング（jamming）ＲＦ信号の存在における改善された受信機パフォーマンスの効果をもたらすために、前記受信されたＲＦ信号の前記対応する第２のＩＦ信号への周波数ダウンコンバージョンを始めさせる
［４６］に記載されたアーティクル。
【図１】
0005755638.tif 000002
【図２】
0005755638.tif 000003
【図３】
0005755638.tif 000004
【図４】
0005755638.tif 000005
【図５】
0005755638.tif 000006
【図６】
0005755638.tif 000007
【図７】
0005755638.tif 000008